(57)【特許請求の範囲】
【請求項１】
機械に、
車両近接サービス（ＰｒｏＳｅ）機能における無線チャネルにおいて、車両環境における無線アクセス（ＷＡＶＥ）基本サービスセット（ＷＢＳＳ）を介したサービスを提供すべく、車両環境内のユーザ機器（ＵＥ）から登録要求を受信する手順であって、前記登録要求はＷＢＳＳ情報を含み、前記ＷＢＳＳ情報は基本サービスセット識別子（ＢＳＳＩＤ）を含む、手順と、
前記ＷＢＳＳを介したサービスを提供すべく、前記ＵＥの登録を許可することを前記ＰｒｏＳｅ機能において決定する手順と、
前記ＵＥを許可することを決定した後に、前記サービスに用いられるＷＢＳＳ情報を確認する前記ＰｒｏＳｅ機能から登録応答を送信する手順と
を実行させるためのプログラム。
【請求項２】
前記無線チャネルは専用狭域通信又は８０２．１１ｐチャネルである、請求項１に記載のプログラム。
【請求項３】
前記登録要求は、前記ＵＥからの構成パラメータを含むＷＢＳＳ情報を含む、請求項１又は２に記載のプログラム。
【請求項４】
前記ＷＢＳＳ情報は、前記ＵＥがアナウンスメントを取得することを望むＷＢＳＳ、又は、前記ＵＥが、メッセージ、例えば、基本安全メッセージ（ＢＳＭ）を伝送することを望むＷＢＳＳに対応する、請求項３に記載のプログラム。
【請求項５】
登録応答を送信する手順は、前記登録要求のパラメータからＷＢＳＳ構成パラメータを変更すべく、前記ＰｒｏＳｅ機能からＷＢＳＳ情報を送信する手順を含む、請求項１から４のいずれか一項に記載のプログラム。
【請求項６】
前記ＷＢＳＳ情報は、
ＤＳＲＣチャネル番号、例えば、制御チャネル（ＣＣＨ）又はサービスチャネル（ＳＣＨ）と、
ＵＥ認証情報と、
より高い層のエンティティにより提供されるアプリケーションサービスを一意に定義するプロバイダサービス識別子（ＰＳＩＤ）のような１又は複数のサービスＩＤと
のうち１又は複数を含む、請求項１から５のいずれか一項に記載のプログラム。
【請求項７】
許可することを決定する手順は、高度道路交通システム（ＩＴＳ）サーバとともに前記ＵＥの認証情報を認証する手順を含む、請求項１から６のいずれか一項に記載のプログラム。
【請求項８】
前記登録要求を受信する手順は、進化型ノードＢ（ｅＮＢ）において前記登録要求を受信する手順を含み、決定する手順は、コアネットワーク（ＣＮ）内のＰｒｏＳｅ機能において前記ＵＥの許可を確認する手順を含む、請求項１から７のいずれか一項に記載のプログラム。
【請求項９】
前記登録要求を受信する手順は、アタッチ要求又は追跡エリア更新要求メッセージ内の前記登録要求を受信する手順を含む、請求項１から８のいずれか一項に記載のプログラム。
【請求項１０】
前記機械に、
前記ＰｒｏＳｅ機能から前記ＵＥにて、前記ＷＢＳＳの利用可能性についてのアナウンスメントを受信する手順であって、前記アナウンスメントは、アナウンスされた前記ＷＢＳＳにより提供されるサービスのリストを含む、手順と、
前記アナウンスされたＷＢＳＳのリストに挙げられたサービスに前記ＵＥが加入されているか否かを前記ＵＥにおいて決定する手順と、
前記ＰｒｏＳｅ機能に応答を送信することなく前記ＷＢＳＳに参加することにより、前記ＵＥが加入されている場合、前記アナウンスされたＷＢＳＳにおいて前記ＵＥによる動作を開始する手順と
をさらに実行させるための請求項１から９のいずれか一項に記載のプログラム。
【請求項１１】
請求項１から１０のいずれか一項に記載のプログラムを格納するコンピュータ可読記録媒体。
【発明の詳細な説明】
【技術分野】
【０００１】
関連出願の相互参照
本願は、Ｄａｖｅ  Ｃａｖａｌｃａｎｔｉ等によるネットワーク支援型Ｖ２Ｘ  ＷＢＳＳ発見と題される２０１５年６月２５日に出願された米国仮出願第６２／１８４，７０７号に基づく優先権を主張する。
【０００２】
本説明は、無線通信に関し、特に、無線車両通信のための通信グループを確立することに関する。
【背景技術】
【０００３】
高度道路交通システム（ＩＴＳ）は、インテリジェンスを移動車両及び車道上及び周辺の固定設備にも追加することにより車道上の安全性及び効率性を改善するように努める。ＩＴＳにより使用可能にされ得る多くの異なる機能及び目的がある。これらのいくつかは、交通流量及び車線占有率を管理すること、通行料金を収集すること、積み荷を追跡すること、道路状況警報を提供すること、車道上の歩行者及び他の障害物に関して警告すること等を含む。インテリジェント車両及び固定設備に加えて、ＩＴＳは、車両が車道上又は車道近くの他の車両との通信及び他の近接デバイスと通信することができるようにしようとする。
【０００４】
車両環境における無線アクセス（ＷＡＶＥ）アーキテクチャ及び規格が、ＩＴＳ安全性及び非安全性アプリケーションをサポートすべく開発されてきた。多くのＩＴＳアプリケーションは、車両及び固定設備による状況認識の概念に依存し、これは、次に協調認識に強化される。協調認識は、車両間（すなわち、車車間（Ｖ２Ｖ）通信、車両及びインフラストラクチャ固定設備間（すなわち、路車間（Ｖ２Ｉ）通信）、並びに、車両及び歩行者間（すなわち、歩車間（Ｖ２Ｐ）通信）の基本安全メッセージ（ＢＳＭ）の周期的及びイベント駆動型のブロードキャストに基づいている。まとめて、Ｖ２Ｖ、Ｖ２Ｉ、及びＶ２Ｐ通信は、Ｖ２Ｘ（ｖｅｈｉｃｌｅ  ｔｏ  ｅｖｅｒｙｔｈｉｎｇ）通信として指定される。
【０００５】
基本安全メッセージ（ＢＳＭ）は、米国における専用狭域通信（ＤＳＲＣ）メッセージセットディクショナリのためのＳＡＥ  Ｊ２７３５規格に規定される。協調認識メッセージ（ＣＡＭ）及び分散型環境通報メッセージ（ＤＥＮＭ）は、ヨーロッパ規格に規定される同様のメッセージである。
【０００６】
いくつかのＩＴＳシナリオにおいて、ロードサイドユニット（ＲＳＵ）は、安全性サービス（例えば、インタラクションコリジョン警報）及び非安全性（移動情報）サービスを、ブロードキャストメッセージを通じて車両に及び他のＲＳＵに提供することが可能な通信ノードとして規定される。
【０００７】
Ｖ２Ｘ通信は、専用狭域通信（ＤＳＲＣ）チャネルにより部分的に提供され、ＩＥＥＥ８０２．１１ｐ規格に規定されるようなローカル・メトロポリタン・エリア・ネットワークにより、及び、セルラーネットワーク（例えば、ロングタームエボリューション（ＬＴＥ））第５世代（５Ｇ）等により搬送され得る。８０２．１１ｐ規格は、５．９ＧＨｚ帯（５．８５０−５．９２５ＧＨｚ）内の１０ＭＨｚ帯域幅のチャネルを用いてよい。ＤＳＲＣは、自動車両用に特別に設計される１又は複数の一方向又は二方向短距離又は中距離無線通信チャネルであってよい。Ｖ２Ｘデバイスは、異なるスペクトル帯域で動作する複数の無線機を備えてよい。セルラーネットワークは、安全性及び非安全性サービスを発見し、これらの利点を利用すべくＶ２Ｘデバイスを支援するために用いられてよく、１又は複数のＤＳＲＣチャネルを介してブロードキャストされてよい。
【０００８】
ＤＳＲＣ８０２．１１ｐ又はセルラーチャネルにおけるメッセージを送信及び受信すべく、デバイス（例えば、ＲＳＵ又は車両）は、ＷＡＶＥ基本サービスセット（ＷＢＳＳ）をセットアップ又は発見し、かつ、ＷＡＶＥ基本サービスセット（ＷＢＳＳ）に連結され、ＷＡＶＥ基本サービスセット（ＷＢＳＳ）は、デバイスがＷＡＶＥモードで動作し得る、かつ、一般的な８０２．１１認証及び接続手順を実行する必要なく通信し得る基本サービスセット（ＢＳＳ）である。特定のＷＢＳＳを発見すべく、Ｖ２Ｘデバイスは、そのＷＢＳＳからのメッセージ用の複数のＤＳＲＣチャネルをスキャンする。ＷＢＳＳは、８０２．１１ＭＡＣ（Ｍｅｄｉａ  Ａｃｃｅｓｓ  Ｃｏｎｔｒｏｌ）層フレーム内のＢＳＳＩＤ（Ｂａｓｅ  Ｓｔａｔｉｏｎ  Ｓｕｂｓｙｓｔｅｍ  Ｉｄｅｎｔｉｆｉｃａｔｉｏｎ）により識別される。
【図面の簡単な説明】
【０００９】
実施形態は、添付の図面の図において、限定としてではなく例として図示され、同様の参照符号は同様の要素を指す。
【図１】実施形態に係る近接サービス（ＰｒｏＳｅ）を用いた車両環境におけるＬＴＥネットワークの一部についてのブロック図である。
【図２】２つのＵＥにＷＬＡＮを介して通信することを可能にするためのシグナリングの図である。
【図３】実施形態に係る車両環境におけるＷＢＳＳ発見のためのシグナリングフロー図である。
【図４】実施形態に係るＷＢＳＳ発見及び通信に対するＥＰＣサポートのシグナリングフロー図である。
【図５】ＰｒｏＳｅ機能の一部又は全てが実施形態に係るＥ‐ＵＴＲＡＮ  ｅＮＢ内に統合される代替的なＬＴＥネットワークの一部についてのブロック図である。
【図６】実施形態に係るコアネットワークデバイスのブロック図である。
【図７】実施形態に係るＵＥ又はモバイルデバイスのブロック図である。
【図８】実施形態に係るＤＳＲＣチャネルメッセージを介してダイレクト通信セッションを確立するための処理フロー図である。
【図９】実施形態に係るＷＢＳＳを登録するための処理フロー図である。
【図１０】実施形態に係るＷＢＳＳアナウンスメントを行うための処理フロー図である。
【図１１】実施形態に係る性能メッセージを生成するための処理フロー図である。
【図１２】実施形態に係る例示的なコンピューティングシステムのブロック図である。
【発明を実施するための形態】
【００１０】
基本安全メッセージ（ＢＳＭ）は、迅速なアクションを求め得る状況を識別する情報を局所的に伝送するために用いられ得る比較的短いメッセージである。これらのメッセージは、衝突警報、緊急停止、プリクラッシュ警報等を含んでよい。これらのメッセージのタイプについて、アクションは、数ミリ秒から数百ミリ秒（例えば２０から１００ｍｓｅｃ）の時間間隔内で求められ得る。本明細書で説明されるように、ＢＳＭ伝送は、素早くセットアップされ得る。Ｖ２Ｘに対するＢＳＭのスケーラブルな伝送及び受信を提供するためにオーバヘッドメッセージングが低減される。
【００１１】
新たな手順は、Ｖ２Ｘ  ＵＥに対するＤＳＲＣ／８０２．１１ｐチャネルを介したより速いＶ２Ｘ  ＷＬＡＮ（無線ローカルエリアネットワーク）発見及び通信のためのＬＴＥ（ロングタームエボリューション）ＥＰＣ（進化型パケットコア）サポートを可能にすることについて本明細書で説明される。ＬＴＥ  ＥＰＣ支援型のＷＬＡＮ発見機能は、ＤＳＲＣ／８０２．１１ｐネットワークを介したＶ２Ｘサービスの発見及び通信のために用いられ得る。これは、Ｖ２Ｘ通信のためのＵＥを登録するＷＢＳＳサービス登録手順、及び、全ての登録されたＵＥに対するアナウンスメントのためのＰｒｏＳｅ機能サポートを含む。
【００１２】
ＷＬＡＮ発見機能は、ＷＢＳＳからエリア内の任意のＵＥに送信されるアナウンスメッセージを用いてよい。アナウンスメッセージは、ブロードキャスト、マルチキャスト又はユニキャストであってよい。いくつかの実施形態において、アナウンスメッセージは、特定の場所、例えば、近くの交差点に対して周期的に事前に送信されてよい。他の実施形態において、タイミングは、予期される又は現在のトラフィックパターン及び一日の時間に基づいて調整されてよい。アナウンスメッセージのタイミング及び性質は、ネットワークにより決定されてよい。
【００１３】
図１は、近接サービス（ＰｒｏＳｅ）を用いたＬＴＥネットワークの一部についての図である。ネットワークは、ＬＴＥ無線インタフェース物理層Ｕｕリンク１０８を通じて、第１ユーザ機器（ＵＥ）、ＵＥ  Ａ１０６及び第２ＵＥ、ＵＥ  Ｂ１０４に連結される進化型ユニバーサル地上波無線アクセスネットワーク（Ｅ‐ＵＴＲＡＮ）１０２を含む。これらのＵＥは、ＰＣ５、ＷＬＡＮ（無線ローカルエリアネットワーク）、Ｗｉ‐Ｆｉ（登録商標）、又は他の通信リンクを通じて互いに直接的に通信することも可能である。Ｅ‐ＵＴＲＡＮ１０２は、Ｓ１物理層インタフェース１１４を通じて、モビリティ管理エンティティ（ＭＭＥ）１１０に接続され、かつ、サービングゲートウェイ（ＳＧＷ）又はパケットデータネットワーク（ＰＤＮ）ゲートウェイ（ＰＧＷ）１１２に接続される。ＭＭＥ又はＳ／ＰＧＷは、ＰＣ４、Ｓ６、又は他の物理データ層リンク１１８を通じてホーム加入者サーバ（ＨＳＳ）１１６に接続する。
【００１４】
近接サービスは、ＰＣ１又は同様のリンクを通じて、１又は複数のＰｒｏＳｅアプリケーションサーバ１２４に連結されるそれぞれの参加ＵＥ内のＰｒｏＳｅアプリケーション１２０、１２２を用いる。ＰｒｏＳｅアプリケーションサーバは、ＰＣ３又は同様のリンクを通じて、ＵＥ１０４、１０６にＰｒｏＳｅ機能１２６を配信する。ＰｒｏＳｅアプリケーションサーバはまた、システム内のＵＥ及び任意の他のモバイルノードに位置認識を配信するＰＣ４又は同様のリンクを通じて、ＨＳＳ１１６及びＳＵＰＬ（セキュアユーザプレーンロケーション）ロケーションプラットフォーム（ＳＬＰ）１２８にＰｒｏＳｅ機能を配信する。ＰｒｏＳｅ機能はまた、説明された機能及び他の機能を実行すべく、所望のとおりに他のサービス及びシステムと接続されてよい。
【００１５】
ＬＴＥ  ＰｒｏＳｅ仕様は、示されるように、新たな機能及びインタフェースを導入した。ＰｒｏＳｅ（ダイレクトデバイスツーデバイス（Ｄ２Ｄ）通信とも称される）は、第１ユーザ機器（ＵＥ）が、第１ＵＥに近接する第２ＵＥの存在を検出し、ダイレクト接続又は通信セッションを確立し、ダイレクト接続を介して第２ＵＥと通信することを可能にしてよい。Ｖ２Ｘ通信が使用可能なＵＥ、モバイル端末、モバイル通信デバイス等は、「Ｖ２Ｘデバイス」、「Ｖ２Ｘ  ＵＥ」等と称され得る。ＬＴＥ  ＰｒｏＳｅ仕様のうちの新たな機能の１つは、ＷＬＡＮダイレクト発見及び通信のためのＥＰＣ（進化型パケットコア）サポートである。この機能は、ＷＬＡＮ技術を用いて直接的に通信することを２つ又はそれより多くのＰｒｏＳｅ‐使用可能なＷＬＡＮ‐可能なＵＥを使用可能にすることをＥＰＣネットワークに可能にする。この決定は、例えば、ＥＰＣネットワークがＥＰＣ‐レベルＰｒｏＳｅ発見をサポートし、かつ、２つ又はそれより多くのＵＥがごく接近していることに気付いたとき、及び、第１ＵＥ（ＵＥ‐Ａ）が第２ＵＥ（ＵＥ‐Ｂ）と通信することを要求したことをＥＰＣネットワークが知ったときに行われ得る。
【００１６】
図２は、２つのターゲットデバイス（ＵＥ‐Ａ及びＵＥ‐Ｂ）を使用可能にする手順を示すシグナリングの図であり、この手順では、８０２．１１ｐチャネルのような、ＷＬＡＮ又はＰＣ５チャネルを介して直接的に通信すべく、ＰｒｏＳｅ機能によってごく接近していることが決定される。ＰｒｏＳｅ機能は、ＷＬＡＮダイレクトグループ構成情報（支援情報）を提供し、支援情報は、基本サービスセット識別子（ＢＳＳＩＤ）、無線ローカルエリアネットワーク（ＷＬＡＮ）セキュリティキー、１又は複数のグループアドレス、動作チャネル、及び／又は有効時間を含んでよい。
【００１７】
ＰｒｏＳｅ機能１２６は、ＷＬＡＮダイレクトグループの確立をトリガすることをまず決定する１３２。決定は、別のＵＥと通信すべくＵＥからの要求によりトリガされてよい。決定は、任意の適切な理由でネットワークから、又は、任意の他のソースからであってよい。
【００１８】
この例において、グループは、２つのＵＥを有するが、追加の車両、歩行者及びＲＳＵを含むより多くのノードがグループ内に存在してよい。ＰｒｏＳｅ機能は、ＷＬＡＮダイレクトグループセットアップ要求１３４、１３８をグループの可能なメンバのそれぞれに、この場合、２つのＵＥ１０４、１０６に送信する。このセットアップ要求は、識別子、キー、アドレス、及び無線パラメータのような、グループをセットアップするために用いられる多くの情報を含む。この要求に応答して、各参加グループのメンバは、ＷＬＡＮダイレクトグループセットアップ応答１３６、１４０を送信する。ＵＥは、次に、グループ及びダイレクト通信１４２を確立する。これらのメッセージの後に、ＵＥは、交通流量、及び車線占有率を管理し、通行料金を送信し、情報を追跡し、並びに、道路状況警報、歩行者警告及び他のスピード、交通量、天気及び情報の他のタイプを提供することを可能にする。ＵＥは、地方のアトラクション及びイベントに関する情報のような、ＢＳＭよりはるかに多くを通信し、ドライバと乗客との間の通信でさえ提供することが可能である。
【００１９】
ＲＳＵがＤＳＲＣ／８０２．１１ｐを介してＶ２Ｘサービスを提供する高度道路交通システム（ＩＴＳ）シナリオを検討する。例として、ＲＳＵは、ＤＳＲＣ／８０２．１１ｐサービスチャネルのうちの１つにおいて、特定のＢＳＳＩＤを用いて、ＢＳＭのような安全メッセージを周期的にブロードキャストしてよい。図２に示される処理によれば、ＰｒｏＳｅ機能は、ＷＬＡＮダイレクトセットアップ要求を送信することにより、ＲＳＵのＷＢＳＳを参加させるよう、ＵＥが示されるようなエリア内の各Ｖ２Ｘデバイスにまず命令する。ＰｒｏＳｅ機能は、次に、各Ｖ２Ｘ及び他のＵＥからの対応する応答を待つ。
【００２０】
多数のデバイスがあるとき、かつ、いくつかのデバイスが高速で移動しているとき、図２に示されるような現在のＷＬＡＮダイレクト発見及び通信手順は、時間内に危険性を警告するのに十分効率的でない又は十分早くないかもしれない。シグナリングシナリオにはレイテンシがあり、それがあまりに大きいので、メッセージがいくつかの緊急のＶ２Ｘシナリオにおいて有用でないかもしれない。いくつかの場合において、ＵＥは、小さいエリア内又は短いタイムウィンドウ内でＲＳＵサービスにアクセスすることを望み得る。
【００２１】
例示的な実施形態は、Ｖ２Ｘ  ＵＥに対するＤＳＲＣ／８０２．１１ｐチャネルを介したＶ２Ｘ  ＷＬＡＮ発見及び通信のためのＥＰＣサポートを可能にするための新たな手順を提供する。例示的な実施形態は、ＤＳＲＣ／８０２．１１ｐチャネルを介して動作するＷＢＳＳのネットワーク支援型ディスカバリを可能にすべく、ＬＴＥ  ＰｒｏＳｅ機能を向上させることを提供する。様々な例示的な実施形態は、ＷＢＳＳアナウンスメントに対するＶ２Ｘ  ＷＢＳＳサービス登録手順及びＶ２Ｘ  ＰｒｏＳｅ機能サポートを含む。例示的な実施形態は、ＬＴＥ  ＥＰＣ支援型のＷＬＡＮ発見機能がＤＳＲＣ／８０２．１１ｐネットワークを介したＶ２Ｘサービスの発見及び通信に用いられることを可能にする。
【００２２】
図３は、Ｖ２Ｘ  ＵＥ２０２及びＶ２Ｘ  ＰｒｏＳｅ機能２０４のようなモバイルネットワーク内の２つのエンティティに対するシグナリングフロー図である。Ｖ２Ｘ  ＵＥは、ＲＳＵ又は別の好適なエンティティであってよい。この図において用いられるように、本明細書に説明されるような、Ｖ２Ｘ  ＵＥは、ＰｒｏＳｅ及びＶ２Ｘイネーブリング機能をサポートするＵＥである。Ｖ２Ｘ  ＰｒｏＳｅ機能は、ＰｒｏＳｅ機能の一部であり得る又はスタンドアロン機能であるＶ２Ｘ固有の機能である。
【００２３】
シグナリングの図は、ＷＢＳＳサービスプロバイダ登録についての特定の例を示す。様々な実施形態によれば、ネットワーク支援を可能にすべく、ＤＳＲＣ／８０２．１１ｐチャネル内のＷＢＳＳを介してサービスを提供するＶ２Ｘ  ＵＥは、ＷＢＳＳ情報を保持するＶ２Ｘ  ＰｒｏＳｅ機能に登録要求を送信する２０６。
【００２４】
ＷＢＳＳ情報は、
サービスセット識別子（ＳＳＩＤ）：８０２．１１ｐに規定されるようなＢＳＳＩＤ、
動作チャネル：制御チャネル（ＣＣＨ）又はサービスチャネル（ＳＣＨ）であってよいＤＳＲＣチャネル番号、
セキュリティ情報：ＩＥＥＥ１６０９．２に規定されるようなＶ２Ｘ  ＵＥ認証情報、
サービス識別子のリスト：ＩＥＥＥ  ＷＡＶＥ規格におけるＰＳＩＤ（プロバイダサービス識別子）のような、より高い層のエンティティにより提供されるアプリケーションサービスを一意に定義するより多くのサービスＩＤのうちの１つ
を含んでよい。
【００２５】
そのような登録要求は、ＰｒｏＳｅ機能に対するＵＥを識別し、かつ、ＢＳＭ及び他のＷＡＶＥサービスのようなアナウンスメントをＵＥが受信及び伝送することがすぐにできることを示す。要求内で提供される豊富な情報は、大幅な追加の情報量を提供することなく、応答が迅速に答えることを可能にする。一方、ＰｒｏＳｅは、その応答において全ての新たな情報を提供してよい。
【００２６】
ＷＢＳＳ登録要求２０６を受信したことに応答して、及び、これを受信した後に、Ｖ２Ｘ  ＰｒｏＳｅ機能は、ＷＢＳＳサービスの登録を許可するか否かを決定してよい２０８。ＰｒｏＳｅ機能は、Ｖ２Ｘ  ＵＥの認証情報をＶ２Ｘ  ＵＥのサービングネットワーク及び任意の他の内部又は外部ＩＴＳサーバを用いて認証してよい。この応答は、ＷＬＡＮグループのＲＳＵ及び他メンバからアナウンスメント及び他のＷＡＶＥサービスを受信及び伝送すべく、ＵＥに対する許可及び情報を提供する。
【００２７】
ＰｒｏＳｅ機能が、ＵＥを許可することを決定した場合、次に、Ｖ２Ｘ  ＰｒｏＳｅ機能は、ネットワーク上で通信すべく、ＵＥにより用いられるＷＢＳＳ情報を識別する登録応答を送信する２１０。Ｖ２Ｘ  ＰｒｏＳｅ機能は、受信した要求２０６において、同一のＷＢＳＳ情報を用いてよい。代替的に、Ｖ２Ｘ  ＰｒｏＳｅ機能は、登録応答におけるＷＢＳＳ情報を用いて、セキュリティキー及び動作チャネルのようなＷＢＳＳ構成パラメータの任意の１又は複数を変更してよい。ＷＢＳＳサービス登録手順は、Ｖ２Ｘ  ＰｒｏＳｅ機能を用いて初期のＶ２Ｘ  ＵＥ許可又は登録の一部を実行してよい。代替的に、それは、ＵＥがＶ２Ｘアプリケーションサービスを提供することを開始する前の任意の時間に実行されてよい。同一又は同様の手順は、それらのＷＢＳＳ構成をアップデートすべく、ＵＥにより用いられてもよい。
【００２８】
ＷＢＳＳ発見及び通信のためのＶ２Ｘ  ＰｒｏＳｅ機能支援を用いるべく、ＷＢＳＳにより提供されるＶ２Ｘサービスを受信することを望むＶ２Ｘ  ＵＥは、初期登録の間に、又は、新たな性能が使用可能にされたとき、さもなければ、ＵＥにより捕捉されたときに、それらのＷＢＳＳ／ＤＳＲＣ性能をＶ２Ｘ  ＰｒｏＳｅ機能に伝送する２０６。ＵＥは、登録処理の一部として、加入されたＷＢＳＳサービスのリスト（例えば、ＰＳＩＤのリスト）を提供してもよい。
【００２９】
一旦、ＷＢＳＳサービスが、提供するＵＥ（例えば、ＲＳＵ機能を実装するＵＥ）及び消費するＵＥ（例えば、車両及び歩行者ＵＥ）が識別され、Ｖ２Ｘ  ＰｒｏＳｅ機能は、位置、サービス加入及びジオキャスト情報の組み合わせを用いて、ＷＢＳＳアナウンスメントを送信することによりＷＢＳＳの利用可能性をアナウンスする場所及びときを決定してよい。
【００３０】
図４は、ＷＢＳＳ発見及び通信に対するＥＰＣサポートのシグナリングフロー図である。Ｖ２Ｘ  ＰｒｏＳｅ機能２０４は、Ｖ２Ｘ  ＷＢＳＳを１又は複数のＶ２Ｘ  ＵＥにアナウンスすることを決定する２２２。これは、新たなネットワーク変更、ペンディング情報、又は任意の他のファクタに基づいてよい。Ｖ２Ｘ  ＰｒｏＳｅ機能は、次に、Ｖ２Ｘ  ＷＢＳＳアナウンスメント（支援情報）２２４を送信する。
【００３１】
一旦、ＷＢＳＳアナウンスメント２２４がＶ２Ｘ  ＰｒｏＳｅ機能２０４から受信されると、Ｖ２Ｘ  ＵＥは、受信した支援情報を用いてアナウンスされたＷＢＳＳにおける動作を開始する２２６。ＵＥは、ここで、他のＵＥから、ＲＳＵから、及び、ＷＬＡＮグループ内の任意の他のノードから、アナウンスメント及び他のサービスを受信することできる。ＷＢＳＳアナウンスメント２２４は、ブロードキャストとして伝送されてよく、かつ、ＷＢＳＳにより提供されるサービスのリストを含んでよい。これは、サービスに加入されるＶ２Ｘ  ＵＥが、応答をＶ２Ｘ  ＰｒｏＳｅ機能に送り返すことなく直ちにＷＢＳＳに参加することを可能にする。これは、ＷＢＳＳを参加の処理における全体のレイテンシを低減する。説明されるシグナルフローでは、Ｖ２Ｘ  ＰｒｏＳｅ機能は、ＤＳＲＣチャネルにおけるＶ２Ｘ  ＵＥの動作を制御する権限が与えられている。代替的に、ＰｒｏＳｅ機能は、制御することが可能である機能に対してより高いレベルから命令されてよい。
【００３２】
別の実施形態では、図５に示されるように、ＷＢＳＳ発見及び通信に対するサポートが、ＵＥが接続される図１のＥ‐ＵＴＲＡＮ又は任意の他のｅＮＢのようなｅＮＢにおけるＶ２Ｘ  ＰｒｏＳｅブロードキャスト機能により提供されてよい。これは、コアネットワーク（ＣＮ）を介したＵＥとＰｒｏＳｅ機能との間の通信オーバーヘッド及びを低減し得る。
【００３３】
図５は、車両環境内のＵＥ５０２がＬＴＥ‐Ｕｕ又は他のワイヤレスプロトコルを通じて、ＵＥに対するｅＮＢとしての役割を果たすＥ‐ＵＴＲＡＮ５０４に連結されるコアネットワークを示す。Ｅ‐ＵＴＲＡＮは、Ｓ１‐Ｕ又は別のタイプのリンクを通じて、サービングゲートウェイ５０６及び、接続又は統合されたＰＤＮゲートウェイ５０８に連結される。ＰＤＮゲートウェイは、ＰｒｏＳｅ機能５１２に連結され、かつ、ＳＧｉ又は同様のリンクを通じて、例えばＩＭＳ、ＰＳＳ等のオペレータのＩＰ（インターネットプロトコル）サービス５２２に連結される。ポリシー及び課金ルール機能（ＰＣＲＦ）５２０は、Ｇｘ接続を用いてＰＤＮゲートウェイにリンクされてよく、Ｒｘ機能及び所望のコアネットワークの他のコンポーネントを用いてオペレータのＩＰサービスにリンクされよい。Ｅ‐ＵＴＲＡＮは、また、ＰＤＮゲートウェイを通じてＰｒｏＳｅ機能５１２に連結されるＰｒｏＳｅ／Ｖ２Ｘブロードキャスト機能５１０に連結され又はＰｒｏＳｅ／Ｖ２Ｘブロードキャスト機能５１０を包含する。
【００３４】
Ｅ‐ＵＴＲＡＮは、Ｓ１１を通じてサービングゲートウェイにも連結され得るＭＭＥにＳ１‐ＭＭＥを通じてさらに連結される。ＭＭＥは、ＭＭＥ内に統合され得る、又は、別個に提供され得る様々な異なる機能及びシステムに対する接続を提供する。これは、ホーム加入者サーバ（ＨＳＳ）５１８、サービングＧＰＲＳ（汎用パケット無線サービス）サポートノード（ＳＧＳＮ）５１６、並びに、ＵＴＲＡＮ及びＧＳＭ（登録商標）（移動通信用グローバルシステム）ＥＤＧＥ（ＧＳＭ（登録商標）進化型高速データレートエボリューション）無線アクセスネットワーク（ＧＥＲＡＮ）及び任意の他の所望のサービスを含んでよい。
【００３５】
この場合、ＷＢＳＳ登録手順は、Ｖ２Ｘ  ＵＥ５０２とｅＮＢ５０４との間で行われ得る。ｅＮＢは、ＵＥの許可を確認すべく、ＣＮ内のＶ２Ｘ  ＰｒｏＳｅ機能５１２と通信し得る。ＰｒｏＳｅ／Ｖ２Ｘブロードキャスト機能５１０の通信オーバーヘッドをさらに低減すべく、ｅＮＢ５０４は、ＷＢＳＳアナウンスメントを伝送するときを決定する権限を持ってよい。従って、ＰｒｏＳｅ機能のＶ２Ｘ機能、又は、その一部は、ｅＮＢにおいて局所的に実装されてよい。
【００３６】
他の動作を中断することなく機能及びスピードを強化するために、コアネットワーク（ＣＮ）手順上の影響が最小化され得る。Ｖ２Ｘ  ＵＥは、「ＵＥネットワーク性能」の一部としてＷＢＳＳ／ＤＳＲＣ性能表示をアタッチ要求及び／又は追跡エリア更新要求メッセージに含めてよい。ＭＭＥは、ＰｒｏＳｅ／Ｖ２Ｘ動作のために、この情報を格納してよい。ＷＢＳＳ／ＤＳＲＣ性能は、ＵＥがＷＬＡＮダイレクトサービスをサポートすることが可能であるか否かを示すことができる。
【００３７】
Ｖ２Ｘ  ＵＥは、加入者データに基づいてＷＢＳＳ／ＤＳＲＣダイレクトサービスを提供することが許可され得る。ＭＭＥは、「ＷＢＳＳ／ＤＳＲＣ許可」表示をＳ１‐ＡＰ初期コンテキストセットアップ要求に含んでよく、また、ＵＥがＷＬＡＮダイレクトサービスをサポートすることが可能であるか否かを示してよい。
【００３８】
図６は、様々な実施形態に係る、ｅＮＢ、ＭＭＥ及び／又は任意の他のタイプのネットワーク要素又は他の同様の電子デバイスであってもよく、又はこれらに組み込まれてもよく、さもなければ、これらの一部であってもよい電子デバイス６０１を示すブロック図である。具体的には、電子デバイスは、ハードウェア、ソフトウェア、及び／又はファームウェアのうちの１又は複数に少なくとも部分的に実装され得るロジック及び／又は回路であってよい。
【００３９】
実施形態において、電子デバイスロジックは、シグナリングロジック６０４を含んでよく、シグナリングロジック６０４は、制御ロジック６０２に連結される無線送信ロジック６０６及び受信ロジック６０８を含んでよい。実施形態において、送信及び／又は受信ロジックは、６０４に示されるように、送受信機ロジックの要素又はモジュールであってよい。電子デバイスは、１又は複数のアンテナ６１０の１又は複数のアンテナ素子と連結されてよく、又は１又は複数のアンテナ素子を含んでよい。
【００４０】
電子デバイス及び／又は電子デバイスのコンポーネントは、本開示において他の箇所で説明されるものと同様の動作を実行するように構成されてよい。例えば、電子デバイスがｅＮＢ又はコアネットワーク（ＣＮ）要素に実装される実施形態において、制御ロジックは、ユーザＵＥに対するＷＢＳＳサービスの登録を許可してよい。ＵＥに対するＷＢＳＳサービスの登録を許可すべく、制御ロジックは、ＵＥのサービングネットワーク及び／又は１又は複数の外部ＩＴＳサーバとともに、ＵＥに関連付けられた認証情報を認証してよい。そのような実施形態において、シグナリングロジックは、登録応答をＵＥに提供してよい。登録応答は、ＵＥがＷＢＳＳサービスについて許可されたか否かに関する表示を含んでよい。
【００４１】
電子デバイスがｅＮＢに実装される実施形態において、シグナリングロジックは、ＬＴＥ‐Ｕｕインタフェースを介してＵＥから登録要求メッセージを受信してよい。さらに、電子デバイスがｅＮＢに実装される実施形態では、制御ロジックは、Ｘ２ベースのハンドオーバ手順の間に、ＰｒｏＳｅ許可表示又はＶ２Ｘ許可表示をＸ２アプリケーションプロトコル（ＡＰ）ハンドオーバ要求メッセージに含めてよい。ＰｒｏＳｅ許可表示は、ＵＥがＰｒｏＳｅを利用することを許可されたことを示してよく、Ｖ２Ｘ許可表示は、ＵＥがＷＢＳＳサービス及び／又は無線ローカルエリアネットワーク（ＷＬＡＮ）ダイレクトサービスを利用することを許可されたことを示してよい。
【００４２】
電子デバイスがＣＮ要素に実装される実施形態において、ＣＮ要素は、サービングゲートウェイ（ＳＧＷ）又はパケットデータネットワーク（ＰＤＮ）ゲートウェイ（ＰＧＷ）とインタフェースを介して通信可能に連結されてよい。さらに、電子デバイスが、ＭＭＥに実装されるとき、シグナリングロジックは、性能表示を含むメッセージを受信してよい。そのような実施形態において、制御ロジックは、性能表示を格納してよく、かつ、性能情報により示される性能を許可すべく、性能情報を提供してよい。
【００４３】
図７は、様々な実施形態に係る、ＵＥ、モバイルデバイス、及び／又は任意の他のタイプの電子デバイスであってもよく、又は、これらに組み込まれてよく、さもなければ、これらの一部であってよい電子デバイスを示すブロック図である。具体的には、電子デバイスは、ハードウェア、ソフトウェア、及び／又はファームウェアのうち１又は複数に少なくとも部分的に実装され得るロジック及び／又は回路であってよい。実施形態において、電子デバイスロジックは、シグナリングロジック６１６を含んでよく、シグナリングロジック６１６は、無線送信ロジック及び受信ロジック（不図示）を含んでよく、ＰｒｏＳｅロジック６１８と連結されてよく、ＰｒｏＳｅロジック６１８は、無線送信ロジック及び受信ロジック（不図示）を含んでもよく、シグナリングロジック６１６及びＰｒｏＳｅロジック６１８のそれぞれは、制御ロジック６１２に連結され、制御ロジック６１２は、Ｖ２Ｘロジック６１４を含んでよい。シグナリングロジック及び／又はＰｒｏＳｅロジックに含まれる送信ロジック及び／又は受信ロジックは、図６に関して前に検討された送信ロジック及び／又は受信ロジックと同一又は類似であってよい。
【００４４】
実施形態において、シグナリングロジック及び／又はＰｒｏＳｅロジックは、送受信機ロジックの要素又はモジュール等であってよい。電子デバイスは、１又は複数のアンテナ６２０の１又は複数のアンテナ素子と連結されてよく、又は、１又は複数のアンテナ素子を含んでよい。電子デバイス及び／又は電子デバイスのコンポーネントは、本開示において他の箇所で説明されものと同様の動作を実行するように構成されてよい。例えば、電子デバイスがＵＥに実装される実施形態において、Ｖ２Ｘロジックは、ＰｒｏＳｅ機能に送信される登録要求メッセージを生成してよい。シグナリングロジックは、登録要求メッセージをＰｒｏＳｅ機能に提供してよく、ＰｒｏＳｅロジックは、ＵＥがダイレクト通信セッションを提供することを許可されたことをＰｒｏＳｅ機能が示したときに、ＤＳＲＣチャネルを介してダイレクト通信セッションを提供してよい。
【００４５】
本明細書で用いられるように、用語「ロジック」は、特定用途向け集積回路（ＡＳＩＣ）、電子回路、プロセッサ（共有、専用又はグループ）、及び／又は、１又は複数のソフトウェア又はファームウェアプログラムを実行するメモリ（共有、専用又はグループ）、組み合わせロジック回路、及び／又は説明された機能を提供する他の好適なハードウェアコンポーネントの一部を指してよい、又は、これらを含んでよい。具体的には、ロジックは、ハードウェア、ソフトウェア及び／又はファームウェアに少なくとも部分的に実装されてよく、又は、これらの要素であってよい。いくつかの実施形態において、電子デバイスロジックは、１又は複数のソフトウェア又はファームウェアモジュールに実装されてよく、又は、ロジックに関連する機能は、１又は複数のソフトウェア又はファームウェアモジュールにより実装されてよい。
【００４６】
いくつかの実施形態において、図７の電子デバイスは、図８の処理のような１又は複数の処理を実行するように構成されてよい。例えば、電子デバイスが、Ｖ２Ｘ及び／又はＰｒｏＳｅが使用可能なＵＥ、及び／又は、Ｖ２Ｘ  ＰｒｏＳｅが使用可能な別の同様のモバイルデバイスである、又は、Ｖ２Ｘ  ＵＥ等に組み込まれる又はさもなければ、その一部である実施形態において、処理は、図８により示される動作を含んでよい。
【００４７】
図８は、実施形態に係るＤＳＲＣチャネルメッセージを介してダイレクト通信セッションを確立するための処理フロー図である。８０１において、ＵＥは、近接サービス（ＰｒｏＳｅ）機能に送信されるＷＢＳＳ登録要求メッセージを生成してよい。実施形態において、ＷＢＳＳ登録要求メッセージは、ＷＢＳＳ情報と、ＰｒｏＳｅ及び／又はＶ２Ｘ性能表示とを含んでよい。８０２において、ＵＥは、ＷＢＳＳ登録要求メッセージをＰｒｏＳｅ機能に提供してよい。ＰｒｏＳｅ機能は、ＷＢＳＳ情報及び／又は性能表示を用いて、ＷＢＳＳサービスについてＵＥを許可してよい。８０４において、ＵＥは、ＰｒｏＳｅ機能から登録応答を受信してよく、登録応答は、ＵＥが、ＷＢＳＳサービスを利用することが許可されたことを確認してよい。
【００４８】
ＷＢＳＳサービスを利用することの許可は、ＤＳＲＣチャネルを介してダイレクト通信セッションを提供することの許可を含んでよい。様々な実施形態において、ＷＢＳＳサービスは、他のＶ２Ｘが使用可能なＵＥ、又は、Ｖ２Ｘ通信を消費又はさもなければ受信するＵＥをＵＥが発見し得るＷＢＳＳ発見サポート、ＵＥが１又は複数の他のＶ２Ｘ対応ＵＥと通信し得るＷＢＳＳ通信サービス、及び／又は、ＵＥが１又は複数の他のＶ２Ｘ対応ＵＥに対するリレーノードとして動作してコアネットワークにアクセスし得るＷＢＳＳリレーサービスを含んでよい。８０６において、ＤＳＲＣチャネルを介してダイレクト通信セッションをＵＥが提供することを許可されたことを登録応答が示すときに、ＵＥは、ＤＳＲＣチャネルを介してダイレクト通信セッションを提供してよい。
【００４９】
いくつかの実施形態において、図６の電子デバイスは、図８、９、１０及び１１の処理のような１又は複数の処理を実行するように構成されてよい。例えば、電子デバイスが、ＰｒｏＳｅ機能を含むネットワーク要素（例えば、ｅＮＢ又はＣＮ要素）に実装される実施形態において、処理は、図９及び１０により示される動作を含んでよい。電子デバイスがＭＭＥに実装される実施形態において、処理は、図１１により示される動作を含んでよい。
【００５０】
図９は、実施形態に係るＷＢＳＳを登録するための処理フロー図である。８１２において、ネットワーク要素は、ＵＥからＷＢＳＳ登録要求メッセージを受信してよい。８１４において、ネットワーク要素は、ＵＥに対する１又は複数のＷＢＳＳサービスの登録を許可してよい。ＵＥに対するＷＢＳＳサービスの登録の許可は、ＵＥのサービングネットワーク及び／又は１又は複数のＩＴＳサーバとともに、ＵＥに関連する認証情報を認証することを含んでよい。８１６において、ネットワーク要素は、登録応答をＵＥに提供してよい。登録応答は、ＵＥが１又は複数のＷＢＳＳサービスについて許可されたか否かに関する表示を含んでよい。
【００５１】
図１０は、実施形態に係るＷＢＳＳアナウンスメントを行うための処理フロー図である。８２２において、ネットワーク要素は、１又は複数のＶ２Ｘが使用可能なデバイス（例えば、１又は複数のＵＥ等）を探してよい。ネットワーク要素は、位置情報、加入者情報、ジオキャスト情報、及び／又は１又は複数のＵＥを探すための他の同様の情報を用いてよい。一旦、ＵＥが見つけられ及び／又は特定されると、８２４において、ネットワーク要素は、ＷＢＳＳサービスをアナウンスする１又は複数のＵＥ、及びＷＢＳＳサービスをアナウンスする時間を決定してよい。様々な実施形態において、ネットワーク要素は、位置、サービス加入、及びジオキャスト情報の組み合わせを用いて、ＷＢＳＳの利用可能性をアナウンスする場所及びときを決定してよい。
【００５２】
８２６において、ネットワーク要素は、図４に示されるように、ＷＢＳＳアナウンスメントを送信することにより、ＷＢＳＳアナウンスメントを１又は複数の決定されたＵＥに提供してよい。一旦、ＷＢＳＳアナウンスメントがネットワーク要素から受信されると、ＵＥは、ＷＢＳＳアナウンスメントメッセージ内の支援情報を用いて、ＷＢＳＳサービスを提供するための動作を起動、又はさもなければ開始してよい。ＷＢＳＳアナウンスメントは、ブロードキャストとして伝送され、サービスに加入されているＵＥが応答をネットワーク要素に送り返すことなく、直ちにＷＢＳＳに参加できるように、ＷＢＳＳにより提供されるサービスのリストを含み、これにより、アタッチメント処理における様々なシグナリングメッセージ及び全体のレイテンシを低減し得る。そのような低減は、デバイスのエネルギー効率性（例えば、バッテリ寿命の節約等）及び／又はネットワークリソース効率性を提供し得る。
【００５３】
図１１は、実施形態に係る性能メッセージを生成するための処理フロー図である。８３２において、ＭＭＥは、性能表示を含むメッセージを受信してよい。８３４において、ＭＭＥは、性能表示を１又は複数のコンピュータ可読媒体に格納してよい。８３６において、ＭＭＥは、性能情報により示される性能を許可すべく、性能情報を含むメッセージを生成してよい。
【００５４】
ＭＭＥは、性能表示により示される性能を許可するために、生成したメッセージを提供してよい。性能表示は、ＰｒｏＳｅ性能表示又はＶ２Ｘ性能表示であってよい。ＰｒｏＳｅ性能表示は、ユーザ機器（ＵＥ）の少なくとも１つのＰｒｏＳｅ性能を示してよく、Ｖ２Ｘ性能表示は、ＵＥの少なくとも１つのＶ２Ｘ機能を示してよい。メッセージは、アタッチ要求メッセージ又は追跡エリア更新要求メッセージであってよく、性能表示は、アタッチ要求メッセージ内のＵＥネットワーク性能情報要素（ＩＥ）及び／又は追跡エリア更新要求メッセージに含まれてよい。
【００５５】
メッセージは、Ｓ１アプリケーションプロトコル（ＡＰ）初期コンテキストセットアップ要求であってよく、ＰｒｏＳｅ許可表示又はＶ２Ｘ許可表示を含む。ＰｒｏＳｅ許可表示は、ユーザ機器（ＵＥ）がＰｒｏＳｅを用いることを許可されたことを示してよく、Ｖ２Ｘ許可表示は、ＵＥがＷＢＳＳサービス及び／又は無線ローカルエリアネットワーク（ＷＬＡＮ）ダイレクトサービスを用いることを許可されたことを示してよい。メッセージは、Ｓ１‐ＡＰハンドオーバ要求メッセージであってよく、これは、Ｓ１ベースのハンドオーバ手順の間に生成されてよい。
【００５６】
本明細書で説明される実施形態は、任意に好適に構成されたハードウェア及び／又はソフトウェアを用いてシステムに実装されてよい。図１２は、一実施形態について、少なくとも示されるように互いに連結された無線周波数（ＲＦ）ロジック１０、ベースバンドロジック４、アプリケーションロジック２、メモリ／ストレージ１２、ディスプレイ２０、カメラ１８、センサ１６、及び入出力（Ｉ／Ｏ）インタフェース１４を備える例示的なシステム１００を示すブロック図である。
【００５７】
アプリケーションロジック２は、１又は複数のシングルコア又はマルチコアプロセッサを含んでよい。プロセッサは、汎用プロセッサ及び専用プロセッサ（例えば、グラフィックプロセッサ、アプリケーションプロセッサ等）の任意の組み合わせを含んでよい。プロセッサは、メモリ／ストレージと連結されてよく、かつ、システム上で実行する様々なアプリケーション及び／又はオペレーティングシステムを可能にすべく、メモリ／ストレージに格納される命令を実行するように構成されてよい。
【００５８】
ベースバンドロジック４は、１又は複数のシングルコア又はマルチコアプロセッサを含んでよい。プロセッサは、制御ロジックの機能又はアクションを実装するように設計され得るベースバンドプロセッサ６、及び／又は、追加又は代替のプロセッサ８、本明細書における他の箇所で説明された送信ロジック、及び／又は、受信ロジックを含んでよい。
【００５９】
ベースバンドロジックは、ＲＦロジック１０を介した１又は複数の無線ネットワークとの通信を可能とする様々な無線制御機能を扱ってよい。無線制御機能は、信号変調、エンコード、デコード、無線周波数シフト等を含んでよいが、これらに限定されない。いくつかの実施形態において、ベースバンドロジックは、１又は複数の無線技術と互換性のある通信を提供してよい。例えば、いくつかの実施形態において、ベースバンドロジックは、進化型ユニバーサル地上波無線アクセスネットワーク（ＥＵＴＲＡＮ）及び／又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてよい。ベースバンドロジックが１よりも多い無線プロトコルについての無線通信をサポートするように構成された実施形態は、マルチモードベースバンドロジックと称され得る。
【００６０】
様々な実施形態において、ベースバンドロジックは、ベースバンド周波数内にあるとは厳密にはみなされていない信号で動作するロジックを含んでよい。例えば、いくつかの実施形態において、ベースバンドロジックは、ベースバンド周波数と無線周波数との間の中間周波数を有する信号で動作するロジックを含んでよい。
【００６１】
ＲＦロジック１０は、非固体媒体を通じて、変調された電磁放射を用いて無線ネットワークと通信することを可能としてよい。様々な実施形態において、ＲＦロジックは、無線ネットワークとの通信を容易にすべく、スイッチ、フィルタ、増幅器等を含んでよい。様々な実施形態において、ＲＦロジックは、無線周波数にあるとは厳密にはみなされていない信号で動作するロジックを含んでよい。例えば、いくつかの実施形態において、ＲＦロジックは、ベースバンド周波数と無線周波数との間の中間周波数を有する信号で動作するロジックを含んでよい。
【００６２】
様々な実施形態において、本明細書で検討又は説明された送信ロジック、制御ロジック、及び／又は受信ロジックは、ＲＦロジック１０、ベースバンドロジック４、及び／又はアプリケーションロジック２のうちの１又は複数における全体又は一部において具現されてよい。前に開示された様々なロジックのタイプが、異なるロジックタイプに組み合わされてよく、又は、異なるロジックタイプに分離されてよく、及び／又は、異なるロジックタイプと称されてよいことに留意すべきである。例えば、いくつかの実施形態において、ベースバンドロジックは、通信ロジック、シグナリングロジック等として動作するＲＦロジック等と組み合わされてよい。
【００６３】
別の例として、いくつかの実施形態において、ベースバンドロジック、ベースバンドプロセッサ、及び／又は任意の他の同様の処理デバイスは、「処理ロジック」、「制御ロジック」等と称されてよい。本明細書で用いられるように、用語「ロジック」は、特定用途向け集積回路（ＡＳＩＣ）、電子回路、プロセッサ（共有、専用又はグループ）、及び／又は、１又は複数のソフトウェア又はファームウェアプログラムを実行するメモリ（共有、専用又はグループ）、組み合わせロジック回路、及び／又は、説明された機能を提供する他の好適なハードウェアコンポーネントを指してよく、これらの一部であってよく、又は、これらを含んでよい。具体的には、ロジックは、ハードウェア、ソフトウェア、及び／又はファームウェアに少なくとも部分的に実装されてよく、又は、これらの要素であってよい。いくつかの実施形態において、電子デバイスロジックは、１又は複数のソフトウェア又はファームウェアモジュールに実装されてよく、又は、ロジックに関連する機能は、１又は複数のソフトウェア又はファームウェアモジュールにより実装されてよい。
【００６４】
いくつかの実施形態において、ベースバンドロジック、アプリケーションロジック、及び／又はメモリ／ストレージの構成コンポーネントの一部又は全ては、システムオンチップ（ＳＯＣ）上で一緒に実装されてよい。
【００６５】
メモリ／ストレージ１２は、例えば、システム１００のためのデータ及び／又は命令をロード及び格納するために用いられてよい。一実施形態におけるメモリ／ストレージは、好適な揮発性メモリ（例えば、ダイナミックランダムアクセスメモリ（ＤＲＡＭ））及び／又は不揮発性メモリ（例えば、フラッシュメモリ）の任意の組み合わせを含んでよい。
【００６６】
様々な実施形態において、Ｉ／Ｏインタフェース１４は、システムとのユーザインタラクションを可能にするために設計された１又は複数のユーザインタフェース、及び／又は、システムとの周辺コンポーネントインタラクションを可能にするために設計された周辺コンポーネントインタフェースを含んでよい。ユーザインタフェースは、物理キーボード又はキーパッド、タッチパッド、スピーカ、マイク等を含んでよいが、これらに限定されない。周辺コンポーネントインタフェースは、不揮発性メモリポート、ユニバーサルシリアルバス（ＵＳＢ）ポート、オーディオジャック、及び電力供給インタフェースを含んでよいが、これらに限定されない。
【００６７】
様々な実施形態において、センサ１６は、システムに関する環境条件及び／又は位置情報を決定するための１又は複数のセンシングデバイスを含んでよい。いくつかの実施形態において、センサは、ジャイロセンサ、加速度計、近接センサ、環境光センサ、及び測位ユニットを含んでよいが、これらに限定されない。測位ユニットは、測位ネットワークのコンポーネント、例えば、（全地球測位システム（ＧＰＳ）衛星）と通信するためのベースバンドロジック及び／又はＲＦロジックの一部であってもよく、又は、これらとインタラクトしてもよい。
【００６８】
様々な実施形態において、ディスプレイ２０は、ディスプレイ（例えば、液晶ディスプレイ、タッチスクリーンディスプレイ等）を含んでよい。
【００６９】
様々な実施形態において、システムは、ラップトップコンピューティングデバイス、タブレットコンピューティングデバイス、ネットブック、ウルトラブック（登録商標）、スマートフォン等のようなモバイルコンピューティングデバイスであってよいが、これらに限定されない。様々な実施形態において、システムは、より多く又はより少ないコンポーネント、及び／又は、異なるアーキテクチャを有してよい。
【００７０】
様々な実施形態において、システムは、ラップトップコンピューティングデバイス、タブレットコンピューティングデバイス、ネットブック、ウルトラブック（登録商標）、スマートフォン、車両通信システム又はデバイス、車載インフォテイメント（ＩＶＩ）システム又はデバイス、インカーエンタテイメント（ＩＣＥ）システム又はデバイス、ドライバ監視システム又はデバイス、ドライバ注意監視デバイス又はシステム、車載モニタリングシステム又はデバイス等のようなモバイルコンピューティングデバイスであってもよいが、これらに限定されない。様々な実施形態において、システムは、より多く又はより少ないコンポーネント、及び／又は異なるアーキテクチャを有してよい。例えば、いくつかの実施形態において、ＲＦロジック及び／又はベースバンドロジックは、通信ロジック（不図示）内で具現化されてよい。
【００７１】
通信ロジックは、例えば、エンコード、変調、フィルタリング、変換、増幅等、通信が行われる適切な通信インタフェースに好適な信号処理技術を提供する１又は複数のシングルコア又はマルチコアプロセッサ及びロジック回路を含んでよい。通信ロジックは、有線、光、又は無線通信媒体を介して通信してよい。システムが無線通信用に構成された実施形態において、通信ロジックは、１又は複数の無線技術と互換性のある通信を提供するＲＦロジック及び／又はベースバンドロジックを含んでよい。例えば、いくつかの実施形態において、通信ロジックは、進化型ユニバーサル地上波無線アクセスネットワーク（ＥＵＴＲＡＮ）及び／又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてよい。
【００７２】
本明細書における技術の実施形態は、第３世代パートナーシッププロジェクト（３ＧＰＰ）ロングタームエボリューション（ＬＴＥ）、又は、ＬＴＥアドバンスト（ＬＴＥ‐Ａ）規格に関連するものとして説明されてよい。例えば、ｅＮｏｄｅＢ（ｅＮＢ）、モビリティ管理エンティティ（ＭＭＥ）、ユーザ機器（ＵＥ）等のような用語又はエンティティが用いられてよく、これらは、ＬＴＥ関連の用語又はエンティティとみなされてよい。しかしながら、他の実施形態において、技術は、米国電気電子技術者協会（ＩＥＥＥ）８０２．１６無線技術（ＷｉＭＡＸ（登録商標））、ＩＥＥＥ８０２．１１無線技術（Ｗｉ‐Ｆｉ（登録商標））、移動通信用グローバルシステム（ＧＳＭ（登録商標））、ＧＳＭ（登録商標）進化型高速データレート（ＥＤＧＥ）、ＧＳＭ（登録商標）  ＥＤＧＥ無線アクセスネットワーク（ＧＥＲＡＮ）、ユニバーサル移動体通信システム（ＵＭＴＳ）、ＵＭＴＳ地上波無線アクセスネットワーク（ＵＴＲＡＮ）、又は他の２Ｇ，３Ｇ，４Ｇ、５Ｇ等の既に開発されたか、開発されるかのいずれかの技術のような様々な他の無線技術のような他の無線技術で用いられてよく、又は、他の無線技術に関連してよい。これらの実施形態において、ｅＮＢ、ＭＭＥ、ＵＥ等のＬＴＥ関連の用語が用いられ、１又は複数のエンティティ又はコンポーネントが用いられ、これらは、ＬＴＥベースの用語又はエンティティのうち１又は複数と均等なものである、又は略均等なものであるとみなされてよい。
【００７３】
詳細な説明は添付の図面を参照する。同じ参照番号は、同一又は類似の要素を識別するために異なる図面において用いられ得る。以下の説明では、説明及び限定しない目的のために、特定の詳細は、様々な実施形態の様々な態様についての全体的な理解を提供すべく、特定の構造、アーキテクチャ、インタフェース、技術等が説明される。しかしながら、実施形態及び特許請求の範囲の様々な態様が、これらの特定の詳細から外れる他の例において実施され得ることが本開示の利益を有する当業者に明らかである。特定の例では、周知のデバイス、回路及び方法の説明が、不必要な詳細で本実施形態の説明を不明確にしないように省略されている。
【００７４】
実施例
【００７５】
例１は、１又は複数のＶ２Ｘ  ＵＥと、１又は複数のＶ２Ｘ  ＰｒｏＳｅ機能と、１又は複数の外部サーバとを備えるシステムを含んでよく、少なくとも１つのＶ２Ｘ  ＵＥは、ＷＢＳＳ／ＤＳＲＣ性能を含む。
【００７６】
例２は、例１及び／又は本明細書に開示された任意の他の例のシステムを含んでよく、Ｖ２Ｘ  ＵＥは、ＷＢＳＳサービス登録要求をＶ２Ｘ  ＰｒｏＳｅ機能に送信し、ＰｒｏＳｅ機能は、Ｖ２Ｘ  ＵＥがＷＢＳＳ発見に対するネットワーク支援を用いることを可能するために、ＷＢＳＳサービス要求を１又は複数のＶ２Ｘ  ＰｒｏＳｅ機能及び／又は１又は複数の外部サーバの他のものに転送してよい。
【００７７】
例３は、例１及び／又は本明細書に開示された任意の他の例のシステムを含んでよく、ＷＢＳＳサービスを提供するＶ２Ｘ  ＵＥは、ＷＢＳＳ登録要求メッセージを送信し、ＷＢＳＳ登録要求メッセージは、ＳＳＩＤ、動作チャネル、セキュリティ情報、及びＰＳＩＤのサービス識別子又はリストについてのパラメータの任意の組み合わせを有してよい。
【００７８】
例４は、例１及び／又は本明細書に開示された任意の他の例のシステムを含んでよく、１又は複数のＶ２Ｘ  ＰｒｏＳｅ機能のうちの１つは、ＰｒｏＳｅ機能の一部として実装されるＶ２Ｘ固有の機能である。
【００７９】
例５は、例１及び／又は本明細書に開示された任意の他の例のシステムを含んでよく、Ｖ２Ｘ  ＰｒｏＳｅ機能は、スタンドアロン機能として実装されるＶ２Ｘ固有の機能である。
【００８０】
例６は、例１及び／又は本明細書に開示された任意の他の例のシステムを含んでよく、Ｖ２Ｘ  ＰｒｏＳｅ機能は、ＵＥが用いることが可能とされる、ＳＳＩＤ、動作チャネルを含むＷＢＳＳ動作パラメータを含むＷＢＳＳ登録応答をＶ２Ｘ  ＵＥに送信する。
【００８１】
例７は、例１及び／又は本明細書に開示された任意の他の例のシステムを含んでよく、Ｖ２Ｘ  ＰｒｏＳｅ機能は、位置、サービス加入及びジオキャスト情報の組み合わせを用いて、ＷＢＳＳ支援情報を含むＷＢＳＳアナウンスメントメッセージを送信することによりＷＢＳＳの利用可能性をアナウンスする場所及びときを決定してよく、ＷＢＳＳ支援情報は、ＳＳＩＤ及び動作チャネルのうちの少なくとも一方を含む。
【００８２】
例８は、例１及び／又は本明細書に開示された任意の他の例のシステムを含んでよく、ネットワーク支援を用いることが可能であり、かつ、許可されたＷＢＳＳ／ＤＳＲＣであるＶ２Ｘ  ＵＥは、アナウンスメントメッセージ内のＷＢＳＳ支援情報を用いて、ＷＢＳＳアナウンスメントメッセージにより示されるサービスにおける動作を開始すべくそれらの構成をアップデートする。
【００８３】
例９は、例１及び／又は本明細書に開示された任意の他の例のシステムを含んでよく、Ｖ２Ｘ  ＵＥは、アタッチ要求メッセージ内及び／又は追跡エリア更新要求メッセージ内のＵＥネットワーク性能情報要素（ＩＥ）の一部としてＷＢＳＳ／ＤＳＲＣ性能表示を含む。
【００８４】
例１０は、例１及び／又は本明細書に開示された任意の他の例のシステムを含んでよく、モビリティ管理エンティティ（ＭＭＥ）は、Ｓ１‐ＡＰ初期コンテキストセットアップ要求メッセージにＷＢＳＳ／ＤＳＲＣ許可表示を含んでよく、ＷＢＳＳ／ＤＳＲＣ許可表示は、ＵＥが、ＷＬＡＮダイレクトサービス及び／又はＶ２Ｘサービスをサポートすることが可能であるか否かを示す。
【００８５】
例１１は、近接サービス（ＰｒｏＳｅ）機能に送信される登録要求メッセージを生成するＶ２Ｘ（ｖｅｈｉｃｌｅ  ｔｏ  ｅｖｅｒｙｔｈｉｎｇ）ロジックと、ＰｒｏＳｅ機能に登録要求メッセージを提供するシグナリングロジックと、専用狭域通信（ＤＳＲＣ）チャネルを介してダイレクト通信セッションを提供する近接サービス（ＰｒｏＳｅ）ロジックとを備えるユーザ機器（ＵＥ）を含んでよい。
【００８６】
例１２は、前の例に従う、及び／又は、本明細書に開示された任意の他の例に従うＵＥを含んでよく、登録要求メッセージは、車両環境における無線アクセス基本サービスセット（ＷＢＳＳ）情報を含み、ＷＢＳＳ情報は、サービスセット識別子（ＳＳＩＤ）、セキュリティ情報、及び／又はサービス識別子のリストのうちの少なくとも１つを含んでよい。
【００８７】
例１３は、前の例のいずれかに従う、及び／又は、本明細書に開示された任意の他の例に従うＵＥを含んでよく、ＳＳＩＤは、ＩＥＥＥ８０２．１１ｐ規格による基本サービスセット識別子（ＢＳＳＩＤ）である。
【００８８】
例１４は、前の例のいずれかに従う、及び／又は、本明細書に開示された任意の他の例に従うＵＥを含んでよく、セキュリティ情報は、Ｖ２Ｘ  ＵＥ認証情報を含む。認証情報は、ＩＥＥＥ１６０９．２規格により規定された認証情報であってよい。
【００８９】
例１５は、前の例のいずれかに従う、及び／又は、本明細書に開示された任意の他の例に従うＵＥを含んでよく、サービス識別子のリストは、プロバイダサービス識別子（ＰＳＩＤ）の少なくとも１つを含み、ＰＳＩＤは、より高い層のエンティティにより提供されるアプリケーションサービスを一意に定義する。
【００９０】
例１６は、前の例のいずれかに従う、及び／又は、本明細書に開示された任意の他の例に従うＵＥを含んでよく、シグナリングロジックは、第１インタフェースを介してＰｒｏＳｅ機能に登録要求メッセージを提供する。
【００９１】
例１７は、前の例のいずれかに従う、及び／又は、本明細書に開示された任意の他の例に従うＵＥを含んでよく、ＰｒｏＳｅ機能は、第２インタフェースを介してＰｒｏＳｅアプリケーションサーバと通信する。
【００９２】
例１８は、前の例のいずれかに従う、及び／又は、本明細書に開示された任意の他の例に従うＵＥを含んでよく、第１インタフェースはＰＣ３インタフェースであり、第２インタフェースはＰＣ２インタフェースである。
【００９３】
例１９は、前の例のいずれかに従う、及び／又は、本明細書に開示された任意の他の例に従うＵＥを含んでよく、シグナリングロジックは、ＰｒｏＳｅ機能から登録応答を受信し、登録応答は、ＵＥが、車両環境基本サービスセット（ＷＢＳＳ）サービスにおける無線アクセスについて許可されたか否かに関する表示を含む。
【００９４】
例２０は、前の例のいずれかに従う、及び／又は、本明細書に開示された任意の他の例に従うＵＥを含んでよく、登録応答は、ＷＢＳＳサービスのためにＵＥにより用いられるＷＢＳＳ情報を含む。
【００９５】
例２１は、前の例のいずれかに従う、及び／又は、本明細書に開示された任意の他の例に従うＵＥを含んでよく、制御ロジックは、登録応答内のＷＢＳＳ情報を用いてＷＢＳＳ構成パラメータを変更し、ＷＢＳＳ構成パラメータは、ダイレクト通信セッションのための１又は複数のセキュリティキー又は動作チャネルのうちの少なくとも一方を含む。
【００９６】
例２２は、前の例のいずれかに従う、及び／又は、本明細書に開示された任意の他の例に従うＵＥを含んでよく、登録要求メッセージは性能表示を含み、性能表示は、ＵＥのＰｒｏＳｅ性能及び／又はＵＥのＶ２Ｘ性能を示す。
【００９７】
例２３は、前の例のいずれかに従う、及び／又は、本明細書に開示された任意の他の例に従うＵＥを含んでよく、ＵＥが新たなＰｒｏＳｅ性能を捕捉したとき、及び／又は、ＵＥが新たなＶ２Ｘ性能を捕捉したとき、Ｖ２Ｘロジックは、別のメッセージを生成し、シグナリングロジックは、他のメッセージの生成に応答して、他のメッセージをＰｒｏＳｅ機能に提供する。
【００９８】
例２４は、前の例のいずれかに従う、及び／又は、本明細書に開示された任意の他の例に従うＵＥを含んでよく、制御ロジックは、非アクセス層（ＮＡＳ）メッセージ内のＵＥネットワーク性能情報要素（ＩＥ）に含まれる性能表示を含む。ＮＡＳメッセージは、アタッチ要求メッセージ及び／又は追跡エリア更新要求メッセージであってよい。
【００９９】
例２５は、前の例のいずれかに従う、及び／又は、本明細書に開示された任意の他の例に従うＵＥを含んでよく、登録要求メッセージは、加入されたＷＢＳＳサービスのリストを含み、加入されたＷＢＳＳサービスのリストは、プロバイダサービス識別子（ＰＳＩＤ）のリストである。
【０１００】
例２６は、前の例のいずれかに従う、及び／又は、本明細書に開示された任意の他の例に従うＵＥを含んでよく、シグナリングロジックは、ＰｒｏＳｅ機能からＷＢＳＳアナウンスメントを受信し、ＷＢＳＳアナウンスメントは支援情報を含み、制御ロジックは、支援情報を用いてＷＢＳＳアナウンスメントにより示されるＷＢＳＳサービスを開始する。
【０１０１】
例２７は、前の例のいずれかに従う、及び／又は、本明細書に開示された任意の他の例に従うＵＥを含んでよく、支援情報は、ＵＥが応答メッセージ又は確認メッセージをＰｒｏＳｅ機能に送り返すことを必要とすることなく、ＵＥに、ＷＢＳＳアナウンスメントにより示されたＷＢＳＳサービスに参加することを可能とする。
【０１０２】
例２８は、前の例のいずれかに従う、及び／又は、本明細書に開示された任意の他の例に従うＵＥを含んでよく、ＰｒｏＳｅ機能は、進化型ノードＢ（ｅＮＢ）に設けられ、シグナリングロジックは、ＬＴＥ‐Ｕｕインタフェースを介してＰｒｏＳｅ機能に登録要求メッセージを提供する。
【０１０３】
例２９は、前の例のいずれかに従う、及び／又は、本明細書に開示された任意の他の例に従うＵＥを含んでよく、ＰｒｏＳｅ機能は、サービングゲートウェイ（ＳＧＷ）又はパケットデータネットワーク（ＰＤＮ）ゲートウェイ（ＰＧＷ）と第３インタフェースを介して通信可能に連結されるコアネットワーク（ＣＮ）要素に設けられる。
【０１０４】
例３０は、ユーザ機器（ＵＥ）が、近接サービス（ＰｒｏＳｅ）機能に送信する登録要求メッセージを生成する段階と、ＵＥが、登録要求メッセージをＰｒｏＳｅ機能に提供する段階と、ＵＥが、ＰｒｏＳｅ機能から登録応答を受信する段階と、ＵＥがＤＳＲＣチャネルを介してダイレクト通信セッションを提供することを許可されたことを登録応答が示すとき、ＵＥが、専用狭域通信（ＤＳＲＣ）チャネルを介してダイレクト通信セッションを提供する段階とを備える、コンピュータ実装方法を含んでよい。
【０１０５】
例３１は、前の例に従う、及び／又は、本明細書に開示された任意の他の例に従う方法を含んでよく、登録要求メッセージは、車両環境における無線アクセス基本サービスセット（ＷＢＳＳ）情報を含み、ＷＢＳＳ情報は、サービスセット識別子（ＳＳＩＤ）、セキュリティ情報、及び／又はサービス識別子のリストのうちの少なくとも１つを含んでよい。
【０１０６】
例３２は、前の例のいずれかに従う、及び／又は、本明細書に開示された任意の他の例に従う方法を含んでよく、ＳＳＩＤは、ＩＥＥＥ８０２．１１ｐ規格による基本サービスセット識別子（ＢＳＳＩＤ）である。
【０１０７】
例３３は、前の例のいずれかに従う、及び／又は、本明細書に開示された任意の他の例に従う方法を含んでよく、セキュリティ情報はＶ２Ｘ  ＵＥ認証情報を含む。認証情報は、ＩＥＥＥ１６０９．２規格により規定された認証情報であってよい。
【０１０８】
例３４は、前の例のいずれかに従う、及び／又は、本明細書に開示された任意の他の例に従う方法を含んでよく、サービス識別子のリストは、プロバイダサービス識別子（ＰＳＩＤ）の少なくとも１つを含み、ＰＳＩＤは、より高い層のエンティティにより提供されるアプリケーションサービスを一意に定義する。
【０１０９】
例３５は、前の例のいずれかに従う、及び／又は、本明細書に開示された任意の他の例に従う方法を含んでよく、第１インタフェースを介してＰｒｏＳｅ機能に登録要求メッセージを提供する段階をさらに備える。
【０１１０】
例３６は、前の例のいずれかに従う、及び／又は、本明細書に開示された任意の他の例に従う方法を含んでよく、ＰｒｏＳｅ機能は、第２インタフェースを介してＰｒｏＳｅアプリケーションサーバと通信する。
【０１１１】
例３７は、前の例のいずれかに従う、及び／又は、本明細書に開示された任意の他の例に従う方法を含んでよく、第１インタフェースはＰＣ３インタフェースであり、第２インタフェースはＰＣ２インタフェースである。
【０１１２】
例３７は、前の例のいずれかに従う、及び／又は、本明細書に開示された任意の他の例に従う方法を含んでよく、ＰｒｏＳｅ機能から登録応答を受信する段階をさらに備え、登録応答は、ＵＥが車両環境基本サービスセット（ＷＢＳＳ）サービスにおける無線アクセスについて許可されたか否かに関する表示を含む。
【０１１３】
例３８は、前の例のいずれかに従う、及び／又は、本明細書に開示された任意の他の例に従う方法を含んでよく、登録応答は、ＷＢＳＳサービスのための方法により用いられるＷＢＳＳ情報を含む。
【０１１４】
例３９は、前の例のいずれかに従う、及び／又は、本明細書に開示された任意の他の例に従う方法を含んでよく、登録応答からＷＢＳＳ情報を抽出する段階と、複数のＷＢＳＳ構成パラメータのうちの少なくとも１つのＷＢＳＳ構成パラメータを変更する段階とをさらに備え、ＷＢＳＳ構成パラメータは、ダイレクト通信セッションのための１又は複数のセキュリティキー又は動作チャネルのうちの少なくとも一方を含む。
【０１１５】
例４０は、前の例のいずれかに従う、及び／又は、本明細書に開示された任意の他の例に従う方法を含んでよく、登録要求メッセージは性能表示を含み、性能表示は、ＵＥのＰｒｏＳｅ性能及び／又はＵＥのＶ２Ｘ性能を示す。
【０１１６】
例４１は、前の例のいずれかに従う、及び／又は、本明細書に開示された任意の他の例に従う方法を含んでよく、ＵＥが、新たなＰｒｏＳｅ性能及び／又は新たなＶ２Ｘ性能のうちの少なくとも一方を得る段階と、ＵＥが新たなＰｒｏＳｅ性能を捕捉したとき、及び／又は、ＵＥが新たなＶ２Ｘ性能を捕捉したとき、別のメッセージを生成する段階と、他のメッセージを生成する段階に応答してＰｒｏＳｅ機能に他のメッセージを提供する段階とをさらに備える。
【０１１７】
例４２は、前の例のいずれかに従う及び／又は本明細書に開示された任意の他の例に従う方法を含んでよく、非アクセス層（ＮＡＳ）メッセージ内のＵＥネットワーク性能情報要素（ＩＥ）に性能表示を配置する段階をさらに備える。ＮＡＳメッセージは、アタッチ要求メッセージ及び／又は追跡エリア更新要求メッセージであってよい。
【０１１８】
例４３は、前の例のいずれかに従う、及び／又は、本明細書に開示された任意の他の例に従う方法を含んでよく、登録要求メッセージは、加入されたＷＢＳＳサービスのリストを含み、加入されたＷＢＳＳサービスのリストは、プロバイダサービス識別子（ＰＳＩＤ）のリストである。
【０１１９】
例４４は、前の例のいずれかに従う、及び／又は、本明細書に開示された任意の他の例に従う方法を含んでよく、ＰｒｏＳｅ機能からＷＢＳＳアナウンスメントを受信する段階であって、ＷＢＳＳアナウンスメントは支援情報を含む、段階と、ＷＢＳＳアナウンスメントから支援情報を抽出する段階と、支援情報を用いてＷＢＳＳアナウンスメントにより示される１又は複数のＷＢＳＳサービスを開始する段階とをさらに備える。
【０１２０】
例４５は、前の例のいずれかに従う、及び／又は、本明細書に開示された任意の他の例に従う方法を含んでよく、応答メッセージ及び／又は確認メッセージをＰｒｏＳｅ機能に提供することなく、ＷＢＳＳアナウンスメントにより示される支援情報を用いて通信セッションに参加する段階をさらに備える。
【０１２１】
例４６は、前の例のいずれかに従う、及び／又は、本明細書に開示された任意の他の例に従う方法を含んでよく、ＰｒｏＳｅ機能は進化型ノードＢ（ｅＮＢ）に設けられ、方法は、ＬＴＥ‐Ｕｕインタフェースを介してＰｒｏＳｅ機能に登録要求メッセージを提供する段階をさらに備える。
【０１２２】
例４７は、前の例のいずれかに従う、及び／又は、本明細書に開示された任意の他の例に従う方法を含み、ＰｒｏＳｅ機能は、サービングゲートウェイ（ＳＧＷ）又はパケットデータネットワーク（ＰＤＮ）ゲートウェイ（ＰＧＷ）と第３インタフェースを介して通信可能に連結されるコアネットワーク（ＣＮ）要素に設けられる。
【０１２３】
例４８は、電子デバイスの１又は複数のプロセッサによる命令の実行の際に、電子デバイスに、例１−４７のいずれかにおいて説明された又はそれらに関する方法、又は、本明細書で説明された任意の他の方法又は処理の、１又は複数の要素を実行させる命令を備える１又は複数の非一時的なコンピュータ可読媒体を含んでよい。
【０１２４】
例４９は、ユーザ機器（ＵＥ）に対する車両環境基本サービスセット（ＷＢＳＳ）サービスにおける無線アクセスの登録を許可する制御ロジックであって、ＵＥに対するＷＢＳＳの登録を許可すべく、ＵＥのサービングネットワーク及び／又は１又は複数の外部高度道路交通システム（ＩＴＳ）サーバとともに、ＵＥに関連付けられた認証情報を認証する、制御ロジックと、ＵＥに登録応答を提供するシグナリングロジックであって、登録応答は、ＵＥがＷＢＳＳサービスについて許可されたか否かに関する表示を含む、シグナリングロジックとを備えるネットワーク要素を含んでよい。
【０１２５】
例５０は、前の例のいずれかに従う、及び／又は、本明細書に開示された任意の他の例に従うネットワーク要素を含んでよく、シグナリングロジックは、ＵＥから登録要求メッセージを受信し、登録要求メッセージは、ＷＢＳＳサービスを利用する許可を要求するためのものであり、制御ロジックは、登録要求メッセージの受信に応答して、ＵＥに対するＷＢＳＳの登録を許可する。
【０１２６】
例５１は、前の例のいずれかに従う、及び／又は、本明細書に開示された任意の他の例に従うネットワーク要素を含んでよく、登録要求メッセージは性能表示を含み、性能表示は、ＵＥのＰｒｏＳｅ性能及び／又はＵＥのＶ２Ｘ性能を示す。
【０１２７】
例５２は、前の例のいずれかに従う、及び／又は、本明細書に開示された任意の他の例に従うネットワーク要素を含んでよく、登録応答は、ＷＢＳＳサービスのためにＵＥにより用いられるＷＢＳＳ情報を含む。
【０１２８】
例５３は、前の例のいずれかに従う、及び／又は、本明細書に開示された任意の他の例に従うネットワーク要素を含んでよく、ＵＥは、登録応答内のＷＢＳＳ情報を用いてＷＢＳＳ構成パラメータを変更し、ＷＢＳＳ構成パラメータは、ダイレクト通信セッションのための１又は複数のセキュリティキー又は動作チャネルのうちの少なくとも一方を含む。
【０１２９】
例５４は、前の例のいずれかに従う、及び／又は、本明細書に開示された任意の他の例に従うネットワーク要素を含んでよく、制御ロジックは、Ｖ２Ｘ性能を提供できる１又は複数のＵＥ、及び、進化型ノードＢ（ｅＮＢ）により提供される無線通信サービスエリア内の１又は複数の他のＵＥを識別する。
【０１３０】
例５５は、前の例のいずれかに従う、及び／又は、本明細書に開示された任意の他の例に従うネットワーク要素を含んでよく、制御ロジックは、ＷＢＳＳアナウンスメッセージを生成し、ＷＢＳＳアナウンスメッセージは、ＷＢＳＳサービスの利用可能性及びＷＢＳＳサービスにより提供されるサービスのリストを示す。
【０１３１】
例５６は、前の例のいずれかに従う、及び／又は、本明細書に開示された任意の他の例に従うネットワーク要素を含んでよく、制御ロジックは、ＷＢＳＳアナウンスメッセージを提供すべく、１又は複数のＵＥを決定し、ＷＢＳＳアナウンスメッセージを１又は複数のＵＥに提供する間の時間を決定し、１又は複数のＵＥを決定すべく、制御ロジックは、１又は複数のＵＥのそれぞれに対する位置情報、１又は複数のＵＥのそれぞれに対するサービス加入情報、及び／又は、１又は複数のＵＥのそれぞれに対するジオキャスト情報を用いる。
【０１３２】
例５７は、前の例のいずれかに従う、及び／又は、本明細書に開示された任意の他の例に従うネットワーク要素を含んでよく、ＷＢＳＳアナウンスメントメッセージは支援情報を含み、１又は複数のＵＥのそれぞれは、支援情報を用いて、ＷＢＳＳアナウンスメントメッセージにより利用可能として示されるＷＢＳＳサービスを開始する。
【０１３３】
例５８は、前の例のいずれかに従う、及び／又は、本明細書に開示された任意の他の例に従うネットワーク要素を含んでよく、制御ロジック及びシグナリングロジックは、ネットワーク要素とともに含まれる近接サービス（ＰｒｏＳｅ）機能内に統合される。
【０１３４】
例５９は、前の例のいずれかに従う、及び／又は、本明細書に開示された任意の他の例に従うネットワーク要素を含んでよく、ネットワーク要素は、ＰｒｏＳｅ機能を含む進化型ノードＢ（ｅＮＢ）であり、シグナリングロジックは、ＬＴＥ‐Ｕｕインタフェースを介してＵＥから登録要求メッセージを受信する。
【０１３５】
例６０は、前の例のいずれかに従う、及び／又は、本明細書に開示された任意の他の例に従うネットワーク要素を含んでよく、ネットワーク要素がｅＮＢであるとき、制御ロジックは、Ｘ２ベースのハンドオーバ手順の間に、ＰｒｏＳｅ許可表示又はＶ２Ｘ許可表示をＸ２アプリケーションプロトコル（ＡＰ）ハンドオーバ要求メッセージに含め、ＰｒｏＳｅ許可表示は、ＵＥが、ＰｒｏＳｅを用いることを許可されたことを示し、Ｖ２Ｘ許可表示は、ＵＥが、ＷＢＳＳサービス及び／又は無線ローカルエリアネットワーク（ＷＬＡＮ）ダイレクトサービスを用いることを許可されたことを示す。
【０１３６】
例６１は、前の例のいずれかに従う、及び／又は、本明細書に開示された任意の他の例に従うネットワーク要素を含んでよく、ネットワーク要素は、ＰｒｏＳｅ機能を含むコアネットワーク（ＣＮ）要素であり、ＣＮ要素は、サービングゲートウェイ（ＳＧＷ）又はパケットデータネットワーク（ＰＤＮ）ゲートウェイ（ＰＧＷ）とインタフェースを介して通信可能に連結される。
【０１３７】
例６２は、ネットワーク要素が、ユーザ機器（ＵＥ）に対する車両環境基本サービスセット（ＷＢＳＳ）サービスにおける無線アクセスの登録を許可する段階であって、ＵＥに対するＷＢＳＳサービスの登録を許可する段階は、ＵＥのサービングネットワーク及び／又は１又は複数の外部高度道路交通システム（ＩＴＳ）サーバとともに、ＵＥに関連付けられた認証情報を認証する段階を含む、段階と、登録応答をＵＥに提供する段階であって、登録応答は、ＵＥが、ＷＢＳＳサービスについて許可されたか否かに関する表示を含む、段階とを備えるコンピュータ実装方法を含んでよい。
【０１３８】
例６３は、前の例のいずれかに従う、及び／又は、本明細書に開示された任意の他の例に従う方法を含んでよく、ＵＥから登録要求メッセージを受信する段階であって、登録要求メッセージは、ＷＢＳＳサービスを利用する許可を要求するためのものである、段階と、登録要求メッセージの受信に応答して、ＵＥに対するＷＢＳＳの登録を許可する段階とをさらに備える。
【０１３９】
例６４は、前の例のいずれかに従う、及び／又は、本明細書に開示された任意の他の例に従う方法を含んでよく、登録要求メッセージは性能表示を含み、性能表示は、ＵＥのＰｒｏＳｅ性能及び／又はＵＥのＶ２Ｘ性能を示す。
【０１４０】
例６５は、前の例のいずれかに従う、及び／又は、本明細書に開示された任意の他の例に従う方法を含んでよく、登録応答は、ＷＢＳＳサービスのためにＵＥにより用いられるＷＢＳＳ情報を含む。
【０１４１】
例６６は、前の例のいずれかに従う、及び／又は、本明細書に開示された任意の他の例に従う方法を含んでよく、登録応答内のＷＢＳＳ情報は、１又は複数のＷＢＳＳ構成パラメータを変更すべくＵＥにより用いられるものであり、ＷＢＳＳ構成パラメータは、ダイレクト通信セッションのための１又は複数のセキュリティキー又は動作チャネルのうちの少なくとも一方を含む。
【０１４２】
例６７は、前の例のいずれかに従う、及び／又は、本明細書に開示された任意の他の例に従う方法を含んでよく、Ｖ２Ｘ性能を提供できる１又は複数のＵＥ及び進化型ノードＢ（ｅＮＢ）により提供される無線通信サービスエリア内の１又は複数の他のＵＥを識別する段階をさらに備える。
【０１４３】
例６８は、前の例のいずれかに従う、及び／又は、本明細書に開示された任意の他の例に従う方法を含んでよく、ＷＢＳＳアナウンスメッセージを生成する段階をさらに備え、ＷＢＳＳアナウンスメッセージは、ＷＢＳＳサービスの利用可能性及びＷＢＳＳサービスにより提供されるサービスのリストを示す。
【０１４４】
例６９は、前の例のいずれかに従う、及び／又は、本明細書に開示された任意の他の例に従う方法を含んでよく、ＷＢＳＳアナウンスメッセージを提供すべく１又は複数のＵＥを決定する段階と、１又は複数の決定されたＵＥにＷＢＳＳアナウンスメッセージを提供する間の時間を決定する段階であって、１又は複数のＵＥを決定する段階は、１又は複数のＵＥのそれぞれに対する位置情報を取得する段階、１又は複数のＵＥのそれぞれに対するサービス加入情報を取得する段階、及び／又は、１又は複数のＵＥのそれぞれについてのジオキャスト情報を取得する段階を含む、段階と、ｅＮＢに関する所望の場所内にいる１又は複数のＵＥにＷＢＳＳアナウンスメッセージを提供することを決定する段階とをさらに備える。
【０１４５】
例７０は、前の例のいずれかに従う、及び／又は、本明細書に開示された任意の他の例に従う方法を含んでよく、ＷＢＳＳアナウンスメントメッセージは支援情報を含み、１又は複数のＵＥのそれぞれは、支援情報を用いて、ＷＢＳＳアナウンスメントメッセージにより利用可能として示されたＷＢＳＳサービスを開始する。
【０１４６】
例７１は、前の例のいずれかに従う、及び／又は、本明細書に開示された任意の他の例に従う方法を含んでよく、ネットワーク要素は、ＰｒｏＳｅ機能を含む進化型ノードＢ（ｅＮＢ）であり、ＵＥから登録要求メッセージを受信する段階は、ＬＴＥ‐Ｕｕインタフェースを介して行われる。
【０１４７】
例７２は、前の例のいずれかに従う、及び／又は、本明細書に開示された任意の他の例に従う方法を含んでよく、ネットワーク要素がｅＮＢであるとき、方法は、Ｘ２ベースのハンドオーバ手順の間に、ＰｒｏＳｅ許可表示又はＶ２Ｘ許可表示をＸ２アプリケーションプロトコル（ＡＰ）ハンドオーバ要求メッセージに含める段階をさらに備え、ＰｒｏＳｅ許可表示は、ＵＥが、ＰｒｏＳｅを用いることを許可されたことを示し、Ｖ２Ｘ許可表示は、ＵＥが、ＷＢＳＳサービス及び／又は無線ローカルエリアネットワーク（ＷＬＡＮ）ダイレクトサービスを用いることを許可されたことを示す。
【０１４８】
例７３は、前の例のいずれかに従う、及び／又は、本明細書に開示された任意の他の例に従う方法を含んでよく、ネットワーク要素は、ＰｒｏＳｅ機能を含むコアネットワーク（ＣＮ）要素であり、ＣＮ要素は、サービングゲートウェイ（ＳＧＷ）又はパケットデータネットワーク（ＰＤＮ）ゲートウェイ（ＰＧＷ）とインタフェースを介して通信可能に連結される。
【０１４９】
例７４は、電子デバイスの１又は複数のプロセッサによる命令の実行の際に、電子デバイスに、例４９−７３のいずれかにおいて説明された又はそれらに関する方法、又は、本明細書で説明された任意の他の方法又は処理の、１又は複数の要素を実行させる命令を備える１又は複数の非一時的なコンピュータ可読媒体を含んでよい。
【０１５０】
例７５は、ネットワーク要素が、Ｖ２Ｘ性能を提供できる１又は複数のＵＥ、及び、進化型ノードＢ（ｅＮＢ）により提供される無線通信サービスエリア内の１又は複数の他のＵＥを識別する段階と、ネットワーク要素が、車両環境基本サービスセット（ＷＢＳＳ）アナウンスメッセージのにおいて無線アクセスを識別された１又は複数のＵＥに提供する段階を備え、ＷＢＳＳアナウンスメッセージは、識別された１又は複数のＵＥが利用され得ることを１又は複数のＷＢＳＳサービスに示す、コンピュータ実装方法を含んでよい。
【０１５１】
例７６は、前の例のいずれかに従う、及び／又は、本明細書に開示された任意の他の例に従う方法を含んでよく、ＷＢＳＳアナウンスメッセージを生成する段階をさらに備え、ＷＢＳＳアナウンスメッセージは、ＷＢＳＳサービスの利用可能性及びＷＢＳＳサービスにより提供されるサービスのリストを示す。
【０１５２】
例７７は、前の例のいずれかに従う、及び／又は、本明細書に開示された任意の他の例に従う方法を含んでよく、識別する段階は、ＷＢＳＳアナウンスメッセージを提供すべく１又は複数のＵＥを決定する段階と、ＷＢＳＳアナウンスメッセージを１又は複数の決定されたＵＥに提供する間の時間を決定する段階であって、１又は複数のＵＥを決定する段階は、１又は複数のＵＥのそれぞれの位置情報を取得する段階、１又は複数のＵＥのそれぞれに対するサービス加入情報を取得する段階、及び／又は、１又は複数のＵＥのそれぞれに対するジオキャスト情報を取得する段階を含む、段階と、ｅＮＢに関する所望の場所内にある１又は複数のＵＥに、ＷＢＳＳアナウンスメッセージを提供することを決定する段階とを含む。
【０１５３】
例７８は、前の例のいずれかに従う、及び／又は、本明細書に開示された任意の他の例に従う方法を含んでよく、ＷＢＳＳアナウンスメッセージは支援情報を含み、１又は複数のＵＥのそれぞれは、支援情報を用いて、ＷＢＳＳアナウンスメッセージにより利用可能として示されたＷＢＳＳサービスのうち１又は複数を開始する。
【０１５４】
例７９は、前の例のいずれかに従う、及び／又は、本明細書に開示された任意の他の例に従う方法を含み、ネットワーク要素は、ＰｒｏＳｅ機能を含む進化型ノードＢ（ｅＮＢ）であり、アナウンスメッセージを提供する段階は、ＬＴＥ‐Ｕｕインタフェースを介して行われる。
【０１５５】
例８０は、前の例のいずれかに従う、及び／又は、本明細書に開示された任意の他の例に従う方法を含んでよく、ネットワーク要素がｅＮＢであるとき、方法は、Ｘ２ベースのハンドオーバ手順の間に、ＰｒｏＳｅ許可表示又はＶ２Ｘ許可表示をＸ２アプリケーションプロトコル（ＡＰ）ハンドオーバ要求メッセージに含める段階をさらに備え、ＰｒｏＳｅ許可表示は、ＵＥが、ＰｒｏＳｅを用いることを許可されたことを示し、Ｖ２Ｘ許可表示は、ＵＥが、ＷＢＳＳサービス及び／又は無線ローカルエリアネットワーク（ＷＬＡＮ）ダイレクトサービスを用いることを許可されたことを示す。
【０１５６】
例８１は、前の例のいずれかに従う、及び／又は、本明細書に開示された任意の他の例に従う方法を含んでよく、ネットワーク要素は、ＰｒｏＳｅ機能を含むコアネットワーク（ＣＮ）要素であり、ＣＮ要素は、サービングゲートウェイ（ＳＧＷ）又はパケットデータネットワーク（ＰＤＮ）ゲートウェイ（ＰＧＷ）とインタフェースを介して通信可能に連結される。
【０１５７】
例８２は、電子デバイスの１又は複数のプロセッサによる命令の実行の際に、電子デバイスに、例７５−８１のいずれかにおいて説明された又はそれらに関する方法、又は、本明細書で説明された任意の他の方法又は処理の、１又は複数の要素を実行させる命令を備える１又は複数の非一時的なコンピュータ可読媒体を含んでよい。
【０１５８】
例８３は、性能表示を含むメッセージを受信するシグナリングロジックと、性能表示を格納し、性能情報により示された性能を許可すべく性能情報を提供する制御ロジックとを備えるモビリティ管理エンティティ（ＭＭＥ）を含んでよい。
【０１５９】
例８４は、前の例のいずれかに従う、及び／又は、本明細書に開示された任意の他の例に従うＭＭＥを含んでよく、性能表示は、近接サービス（ＰｒｏＳｅ）性能表示又はＶ２Ｘ（ｖｅｈｉｃｌｅ  ｔｏ  ｅｖｅｒｙｔｈｉｎｇ）性能表示であり、ＰｒｏＳｅ性能表示は、ユーザ機器（ＵＥ）の少なくとも１つのＰｒｏＳｅ性能を示し、Ｖ２Ｘ性能表示は、ＵＥの少なくとも１つのＶ２Ｘ機能を示す。
【０１６０】
例８５は、前の例、及び／又は、本明細書に開示された任意の他の例のＭＭＥを含んでよく、メッセージは、アタッチ要求メッセージ又は追跡エリア更新要求メッセージであり、性能表示は、アタッチ要求メッセージ及び／又は追跡エリア更新要求メッセージ内のＵＥネットワーク性能情報要素（ＩＥ）に含まれる。
【０１６１】
例８６は、前の例、及び／又は、本明細書に開示された任意の他の例のＭＭＥを含んでよく、制御ロジックは、ＰｒｏＳｅ許可表示又はＶ２Ｘ許可表示を含む別のメッセージを生成し、ＰｒｏＳｅ許可表示は、ユーザ機器（ＵＥ）が、ＰｒｏＳｅを用いることを許可されたことを示し、Ｖ２Ｘ許可表示は、ＵＥが、ＷＢＳＳサービス及び／又は無線ローカルエリアネットワーク（ＷＬＡＮ）ダイレクトサービスを用いることを許可されたことを示す。
【０１６２】
例８７は、前の例、及び／又は、本明細書に開示された任意の他の例のＭＭＥを含んでよく、他のメッセージは、Ｓ１アプリケーションプロトコル（ＡＰ）初期コンテキストセットアップ要求である。
【０１６３】
例８８は、前の例、及び／又は、本明細書に開示された任意の他の例のＭＭＥを含んでよく、制御ロジックは、Ｓ１ベースのハンドオーバ手順の間に、ＰｒｏＳｅ許可表示又はＶ２Ｘ許可表示をＳ１‐ＡＰハンドオーバ要求メッセージに含める。
【０１６４】
例８９は、モビリティ管理エンティティ（ＭＭＥ）が、性能表示を含むメッセージを受信する段階と、ＭＭＥが、１又は複数のコンピュータ可読媒体に性能表示を格納する段階と、ＭＭＥが、性能情報により示された性能を許可すべく性能情報を提供する段階とを備えるコンピュータ実装方法を含んでよい。
【０１６５】
例９０は、前の例のいずれかに従う、及び／又は、本明細書に開示された任意の他の例に従う方法を含んでよく、性能表示は、近接サービス（ＰｒｏＳｅ）性能表示又はＶ２Ｘ（ｖｅｈｉｃｌｅ  ｔｏ  ｅｖｅｒｙｔｈｉｎｇ）性能表示であり、ＰｒｏＳｅ性能表示は、ユーザ機器（ＵＥ）の少なくとも１つのＰｒｏＳｅ性能を示し、Ｖ２Ｘ性能表示は、ＵＥの少なくとも１つのＶ２Ｘ機能を示す。
【０１６６】
例９１は、前の例、及び／又は、本明細書に開示された任意の他の例の方法を含んでよく、メッセージは、アタッチ要求メッセージ又は追跡エリア更新要求メッセージであり、性能表示は、アタッチ要求メッセージ及び／又は追跡エリア更新要求メッセージ内のＵＥネットワーク性能情報要素（ＩＥ）に含まれる。
【０１６７】
例９２は、前の例、及び／又は、本明細書に開示された任意の他の例の方法を含んでよく、ＰｒｏＳｅ許可表示又はＶ２Ｘ許可表示を含む別のメッセージを生成する段階をさらに備え、ＰｒｏＳｅ許可表示は、ユーザ機器（ＵＥ）が、ＰｒｏＳｅを用いることを許可されたことを示し、Ｖ２Ｘ許可表示は、ＵＥが、ＷＢＳＳサービス及び／又は無線ローカルエリアネットワーク（ＷＬＡＮ）ダイレクトサービスを用いることを許可されたことを示す。
【０１６８】
例９３は、前の例、及び／又は、本明細書に開示された任意の他の例の方法を含んでよく、他のメッセージは、Ｓ１アプリケーションプロトコル（ＡＰ）初期コンテキストセットアップ要求である。
【０１６９】
例９４は、前の例、及び／又は、本明細書に開示された任意の他の例の方法を含んでよく、ＰｒｏＳｅ許可表示又はＶ２Ｘ許可表示を含む別のメッセージを生成する段階をさらに備え、他のメッセージは、Ｓ１‐ＡＰハンドオーバ要求メッセージであり、他のメッセージを生成する段階は、Ｓ１ベースのハンドオーバ手順の間に行われる。
【０１７０】
例９５は、電子デバイスの１又は複数のプロセッサによる命令の実行の際に、電子デバイスに、例８９−９４のいずれかにおいて説明された又はそれらに関する方法、又は、本明細書で説明された任意の他の方法又は処理の、１又は複数の要素を実行させる命令を備える１又は複数の非一時的なコンピュータ可読媒体を含んでよい。
【０１７１】
例９６は、例１−９４のいずれかに説明された又はそれらに関する方法、又は、本明細書に説明された任意の他の方法又は処理の、１又は複数の要素を実行する手段を備える装置を含んでよい。
【０１７２】
例９７は、例１−５１のいずれかに説明された又はそれらに関する方法、又は、本明細書に説明された任意の他の方法又は処理の、１又は複数の要素を実行する制御ロジック、送信ロジック、及び／又は受信ロジックを備える装置を含んでよい。
【０１７３】
例９８は、本明細書に示され、かつ、説明されたような無線ネットワークにおける通信の方法を含んでよい。
【０１７４】
例９９は、本明細書に示され、かつ、説明されたような無線通信を提供するためのシステムを含んでよい。
【０１７５】
例１００は、本明細書に示され、かつ、説明されたような無線通信を提供するためのデバイスを含んでよい。
【０１７６】
１又は複数の実装についての前述の説明は、図示及び説明を提供するが、網羅的であることが意図されるものではなく、又は、開示から特許請求の範囲を厳密に制限することが意図されたものではない。改良及びバリエーションが、上記の教示の観点から可能であり、又は、説明された実施形態の様々な実装の実行から得られ得る。
【０１７７】
以下の説明及び特許請求の範囲では、その派生語を有する用語「連結」が用いられ得る。「連結」は、２又はそれより多くの要素が協働又は互いにインタラクトすることを示すために用いられるが、それらは、それらの間に介在する物理又は電気コンポーネントを有してよく、又は、有さなくてよい。
【０１７８】
特許請求の範囲において用いられるように、特定されない限り、共通の要素を記述する序数詞「第１」、「第２」、「第３」等の使用は、単に、同様の要素の異なる例が参照されていることを示しているだけであり、かつ、そのように説明された要素が、時間的、空間的、序列的、又は任意の他の態様のいずれか特定のシーケンスにあることを暗に示すことが意図されるものではない。
【０１７９】
図面及び前述の説明は、実施形態の例を与える。当業者は、説明された要素のうち１又は複数が単一の機能的な要素に組み合わされ得ることを理解するだろう。代替的に、特定の要素は、複数の機能的な要素に分割されてよい。一実施形態からの要素が別の実施形態に追加されてよい。例えば、本明細書に説明された処理の順序は、変更されてよく、かつ、本明細書に説明された態様に限定されない。さらに、任意のフロー図のアクションは、示された順序で実装される必要はなく、全ての動作は必ずしも実行される必要がない。また、他の動作に依存しないこれらの動作は、他の動作と並行して実行されてよい。実施形態の範囲は、決して、これらの特定の例により限定されない。構造、寸法、及び材料の使用における差異のような、様々なバリエーションが、本明細書に明確に与えられているか否かに関わらず可能である。実施形態の範囲は、少なくとも以下の特許請求の範囲により与えられる範囲と同程に広範である。
【０１８０】
以下の例は、さらなる実施形態に関する。異なる実施形態の様々な特徴は、様々な異なるアプリケーションに適合するように、含まれるいくつかの特徴と除外されたその他の特徴とを様々に組み合わせてよい。いくつかの実施形態は、機械により動作されたときに、車両近接サービス（ＰｒｏＳｅ）機能において、車両環境における無線アクセス（ＷＡＶＥ）基本サービスセット（ＷＢＳＳ）無線チャネルを介したサービスを提供すべく、車両環境内のユーザ機器（ＵＥ）から登録要求を受信する手順と、ＷＢＳＳを介したサービスを提供すべく、ＵＥの登録を許可することをＰｒｏＳｅ機能において決定する手順と、ＵＥを許可することを決定した後に、サービスに用いられるＷＢＳＳ情報を確認するＰｒｏＳｅ機能から登録応答を送信する手順とを含む動作を機械に実行させる命令をそこに有する機械可読媒体に関する。さらなる実施形態において、無線チャネルは専用狭域通信チャネルである。さらなる実施形態において、無線チャネルは８０２．１１ｐチャネルである。
【０１８１】
さらなる実施形態において、登録要求は、ＵＥからの構成パラメータを含むＷＢＳＳ情報を含む。
【０１８２】
さらなる実施形態において、ＷＢＳＳ情報は、ＵＥがアナウンスメントを取得することを望むＷＢＳＳに対応する。
【０１８３】
さらなる実施形態において、ＷＢＳＳ情報は、ＵＥがメッセージを伝送することを望むＷＢＳＳに対応する。さらなる実施形態において、メッセージは、基本安全メッセージ（ＢＳＭ）を有する。
【０１８４】
さらなる実施形態において、登録応答を送信する手順は、登録要求のパラメータからＷＢＳＳ構成パラメータを変更すべく、ＰｒｏＳｅ機能からＷＢＳＳ情報を送信する手順を含む。
【０１８５】
さらなる実施形態において、ＷＢＳＳ情報は、基本サービスセット識別子（ＢＳＳＩＤ）、ＤＳＲＣチャネル番号、例えば、制御チャネル（ＣＣＨ）又はサービスチャネル（ＳＣＨ）、ＵＥ認証情報、及びより高い層のエンティティにより提供されるアプリケーションサービスを一意に定義するプロバイダサービス識別子（ＰＳＩＤ）のような１又は複数のサービスＩＤのうち１又は複数を含む。
【０１８６】
さらなる実施形態において、許可することを決定する手順は、高度道路交通システム（ＩＴＳ）サーバとともにＵＥの認証情報を認証する手順を含む。
【０１８７】
さらなる実施形態において、登録要求を受信する手順は、進化型ノードＢ（ｅＮＢ）において登録要求を受信する手順を含み、決定する手順は、コアネットワーク（ＣＮ）内のＰｒｏＳｅ機能においてＵＥの許可を確認する手順を含む。
【０１８８】
さらなる実施形態において、登録要求を受信する手順は、アタッチ要求又は追跡エリア更新要求メッセージにおいて登録要求を受信する。幸い
【０１８９】
いくつかの実施形態は、車両環境におけるユーザ機器（ＵＥ）の処理回路に関し、処理回路は、車両環境における無線アクセス（ＷＡＶＥ）基本サービスセット（ＷＢＳＳ）の利用可能性についてのアナウンスメントを、車両環境近接サービス（ＰｒｏＳｅ）機能からＵＥにおいて受信し、アナウンスメントはアナウンスされたＷＢＳＳにより提供されるサービスのリストを含み、ＵＥが、アナウンスされたＷＢＳＳのリストに挙げられたサービスに加入されているか否かをＵＥにおいて決定し、ＵＥが、ＰｒｏＳｅ機能に応答を送信することなくＷＢＳＳに参加することにより加入されている場合、アナウンスされたＷＢＳＳにおいて、ＵＥによる動作を開始する。
【０１９０】
さらなる実施形態において、アナウンスメントは、ブロードキャスト、マルチキャスト、又はユニキャストのうちの１つとして受信される。
【０１９１】
さらなる実施形態において、回路は、無線ローカルエリアネットワーク（ＷＬＡＮ）を介して基本安全メッセージ（ＢＳＭ）を受信することにより動作を開始する。
【０１９２】
さらなる実施形態は、アナウンスメントを受信する進化型ノードＢとの通信を提供する処理回路ベースバンドロジックも含むＵＥに関する。
【０１９３】
実施形態は、サービスのリストを格納するメモリと、アプリケーションロジックとをさらに含み、アプリケーションロジックは、ＵＥがリストに挙げられたサービスに加入されているか否かを決定する。実施形態は、処理のためにアンテナを通じてＢＳＭを受信するＲＦロジックをさらに含む。
【０１９４】
いくつかの実施形態は、車両環境におけるユーザ機器（ＵＥ）の少なくとも１つのＰｒｏＳｅ性能を示す近接サービス（ＰｒｏＳｅ）性能表示を含むメッセージを受信する手段と、性能表示を格納する手段と、性能情報により示される性能を許可すべく、性能情報をＰｒｏＳｅ機能に提供する手段と、ＵＥが、ＰｒｏＳｅを用いて車両環境内の他のＵＥと通信することを許可されたことを示すべく、ＰｒｏＳｅ許可表示を含むＵＥへのメッセージを生成する手段とを含む装置に関する。
【０１９５】
さらなる実施形態において、受信したメッセージはアタッチ要求メッセージであり、性能表示は、アタッチ要求メッセージ内のＵＥネットワーク性能情報要素（ＩＥ）に含まれる。
【０１９６】
さらなる実施形態において、受信したメッセージは追跡エリア更新要求メッセージであり、性能表示は、追跡エリア更新要求メッセージ内のＵＥネットワーク性能情報要素（ＩＥ）に含まれる。
【０１９７】
さらなる実施形態において、受信する手段、格納する手段、及び生成する手段は、進化型ノードＢ  ｅＮＢから構成され、提供する手段は、パケットデータネットワークゲートウェイ（ＰＧＷ）のＰｒｏＳｅ機能に性能情報を提供する。
【図１】
0006716833.tif 000002
【図２】
0006716833.tif 000003
【図３】
0006716833.tif 000004
【図４】
0006716833.tif 000005
【図５】
0006716833.tif 000006
【図６】
0006716833.tif 000007
【図７】
0006716833.tif 000008
【図８】
0006716833.tif 000009
【図９】
0006716833.tif 000010
【図１０】
0006716833.tif 000011
【図１１】
0006716833.tif 000012
【図１２】
0006716833.tif 000013